(57)【要約】  基地局装置によるＨＡＲＱにおける制御信号を配置するためのソースの指定方法を考慮した移動通信システム、方法を提供する。複数のコンポーネントキャリアを使用して基地局装置と移動局装置が通信を行う移動通信システムであって、基地局装置は、１つの下りリンクコンポーネントキャリアを移動局装置へ設定し、設定した下りリンクコンポーネントキャリアに配置した複数の物理下りリンク制御チャネルを使用し、同一サブフレームで、複数の物理下りリンク共用チャネルを移動局装置へ割り当て、移動局装置は、設定された下りリンクコンポーネントキャリアに配置された複数の物理下りリンク制御チャネルそれぞれに対応する複数の物理上りリンク制御チャネルを、設定された下りリンクコンポーネントキャリアに対応する１つの上りリンクコンポーネントキャリアにおいて、基地局装置によって指定される。
2010137469.tif 000002
【特許請求の範囲】
【請求項１】
複数のコンポーネントキャリアを使用して基地局装置と移動局装置が通信を行う移動通信システムであって、
前記基地局装置は、
１つの下りリンクコンポーネントキャリアを前記移動局装置へ設定し、
前記設定した下りリンクコンポーネントキャリアに配置した複数の物理下りリンク制御チャネルを使用して、同一サブフレームで、複数の物理下りリンク共用チャネルを前記移動局装置へ割り当て、
前記移動局装置は、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの上りリンクコンポーネントキャリアにおいて、前記基地局装置によって指定される
ことを特徴とする移動通信システム。
【請求項２】
複数のコンポーネントキャリアを使用して基地局装置と移動局装置が通信を行う移動通信システムであって、
前記基地局装置は、
下りリンクコンポーネントキャリアと上りリンクコンポーネントキャリアの対応を、報知情報を使用して、前記移動局装置へ設定し、
１つの前記下りリンクコンポーネントキャリアを前記移動局装置へ設定し、
前記設定した下りリンクコンポーネントキャリアに配置した複数の物理下りリンク制御チャネルを使用して、同一サブフレームで、複数の物理下りリンク共用チャネルを前記移動局装置へ割り当て、
前記移動局装置は、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定される
ことを特徴とする移動通信システム。
【請求項３】
複数のコンポーネントキャリアを使用して基地局装置と移動局装置が通信を行う移動通信システムであって、
前記基地局装置は、
下りリンクコンポーネントキャリアと上りリンクコンポーネントキャリアの対応を、ＲＲＣシグナリングを使用して、前記移動局装置へ設定し、
１つの前記下りリンクコンポーネントキャリアを前記移動局装置へ設定し、
前記設定した下りリンクコンポーネントキャリアに配置した複数の物理下りリンク制御チャネルを使用して、同一サブフレームで、複数の物理下りリンク共用チャネルを前記移動局装置へ割り当て、
前記移動局装置は、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定される
ことを特徴とする移動通信システム。
【請求項４】
前記上りリンクコンポーネントキャリアにおいて、前記複数の物理上りリンク制御チャネルが配置可能なリソース領域は、前記基地局装置によって前記移動局装置へ設定される
ことを特徴とする請求項１から請求項３のいずれかに記載の移動通信システム。
【請求項５】
前記移動局装置は、前記複数の物理上りリンク制御チャネルのいずれかの物理上りリンク制御チャネルにＨＡＲＱにおける制御情報を配置して、前記基地局装置へ送信する
ことを特徴とする請求項１から請求項４のいずれかに記載の移動通信システム。
【請求項６】
前記ＨＡＲＱにおける制御情報は、前記複数の物理下りリンク共用チャネルに配置される下りリンクトランスポートブロックに対するＡＣＫ／ＮＡＣＫを示す情報を含む
ことを特徴とする請求項５に記載の移動通信システム。
【請求項７】
前記ＨＡＲＱにおける制御情報は、前記移動局装置が、物理下りリンク制御チャネルを検出できなかったことを示す情報を含む
ことを特徴とする請求項５に記載の移動通信システム。
【請求項８】
複数のコンポーネントキャリアを使用して基地局装置と移動局装置が通信を行う移動通信システムにおける基地局装置であって、
１つの下りリンクコンポーネントキャリアを前記移動局装置へ設定する手段と、
前記設定した下りリンクコンポーネントキャリアに配置した複数の物理下りリンク制御チャネルを使用して、同一サブフレームで、複数の物理下りリンク共用チャネルを前記移動局装置へ割り当てる手段と、
前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの上りリンクコンポーネントキャリアにおいて、前記移動局装置へ指定する手段と、
を備えることを特徴とする基地局装置。
【請求項９】
複数のコンポーネントキャリアを使用して基地局装置と移動局装置が通信を行う移動通信システムにおける基地局装置であって、
下りリンクコンポーネントキャリアと上りリンクコンポーネントキャリアの対応を、報知情報を使用して、前記移動局装置へ設定する手段と、
１つの前記下りリンクコンポーネントキャリアを前記移動局装置へ設定する手段と、
前記設定した下りリンクコンポーネントキャリアに配置した複数の物理下りリンク制御チャネルを使用して、同一サブフレームで、複数の物理下りリンク共用チャネルを前記移動局装置へ割り当てる手段と、
前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの前記上りリンクコンポーネントキャリアにおいて、前記移動局装置へ指定する手段と、
を備えることを特徴とする基地局装置。
【請求項１０】
複数のコンポーネントキャリアを使用して基地局装置と移動局装置が通信を行う移動通信システムにおける基地局装置であって、
下りリンクコンポーネントキャリアと上りリンクコンポーネントキャリアの対応を、ＲＲＣシグナリングを使用して、前記移動局装置へ設定する手段と、
１つの前記下りリンクコンポーネントキャリアを前記移動局装置へ設定する手段と、
前記設定した下りリンクコンポーネントキャリアに配置した複数の物理下りリンク制御チャネルを使用して、同一サブフレームで、複数の物理下りリンク共用チャネルを前記移動局装置へ割り当てる手段と、
前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの前記上りリンクコンポーネントキャリアにおいて、前記移動局装置へ指定する手段と、
を備えることを特徴とする基地局装置。
【請求項１１】
前記上りリンクコンポーネントキャリアにおいて、前記複数の物理上りリンク制御チャネルが配置可能なリソース領域を、前記移動局装置へ設定する手段を、
備えることを特徴とする請求項８から請求項１０のいずれかに記載の基地局装置。
【請求項１２】
複数のコンポーネントキャリアを使用して基地局装置と移動局装置が通信を行う移動通信システムにおける移動局装置であって、
１つの下りリンクコンポーネントキャリアを前記基地局装置によって設定される手段と、
前記設定された下りリンクコンポーネントキャリアに配置された複数の物理下りリンク制御チャネルを使用して、同一サブフレームで、複数の物理下りリンク共用チャネルを前記基地局装置によって割り当てられる手段と、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの上りリンクコンポーネントキャリアにおいて、前記基地局装置によって指定される手段と、
を備えることを特徴とする移動局装置。
【請求項１３】
複数のコンポーネントキャリアを使用して基地局装置と移動局装置が通信を行う移動通信システムにおける移動局装置であって、
下りリンクコンポーネントキャリアと上りリンクコンポーネントキャリアの対応を、報知情報を使用して、前記基地局装置によって設定される手段と、
１つの前記下りリンクコンポーネントキャリアを前記基地局装置によって設定される手段と、
前記設定された下りリンクコンポーネントキャリアに配置された複数の物理下りリンク制御チャネルを使用して、同一サブフレームで、複数の物理下りリンク共用チャネルを前記基地局装置によって割り当てられる手段と、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定される手段と、
を備えることを特徴とする移動局装置。
【請求項１４】
複数のコンポーネントキャリアを使用して基地局装置と移動局装置が通信を行う移動通信システムにおける移動局装置であって、
下りリンクコンポーネントキャリアと上りリンクコンポーネントキャリアの対応を、ＲＲＣシグナリングを使用して、前記基地局装置によって設定される手段と、
１つの前記下りリンクコンポーネントキャリアを前記基地局装置によって設定される手段と、
前記設定された下りリンクコンポーネントキャリアに配置された複数の物理下りリンク制御チャネルを使用して、同一サブフレームで、複数の物理下りリンク共用チャネルを前記基地局装置によって割り当てられる手段と、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定される手段と、
を備えることを特徴とする移動局装置。
【請求項１５】
前記上りリンクコンポーネントキャリアにおいて、前記複数の物理上りリンク制御チャネルが配置可能なリソース領域を、前記基地局装置によって設定される手段を、
備えることを特徴とする請求項１２から請求項１４のいずれかに記載の移動局装置。
【請求項１６】
前記複数の物理上りリンク制御チャネルのいずれかの物理上りリンク制御チャネルにＨＡＲＱにおける制御情報を配置して、前記基地局装置へ送信する手段を、
備えることを特徴とする請求項１２から請求項１５のいずれかに記載の移動局装置。
【請求項１７】
前記ＨＡＲＱにおける制御情報は、前記複数の物理下りリンク共用チャネルに配置される下りリンクトランスポートブロックに対するＡＣＫ／ＮＡＣＫを示す情報を含む
ことを特徴とする請求項１６に記載の移動局装置。
【請求項１８】
前記ＨＡＲＱにおける制御情報は、前記移動局装置が、物理下りリンク制御チャネルを検出できなかったことを示す情報を含む
ことを特徴とする請求項１６に記載の移動局装置。
【請求項１９】
複数のコンポーネントキャリアを使用して基地局装置と移動局装置が通信を行う移動通信システムにおける基地局装置の通信方法であって、
１つの下りリンクコンポーネントキャリアを前記移動局装置へ設定し、
前記設定した下りリンクコンポーネントキャリアに配置した複数の物理下りリンク制御チャネルを使用して、同一サブフレームで、複数の物理下りリンク共用チャネルを前記移動局装置へ割り当て、
前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの上りリンクコンポーネントキャリアにおいて、前記移動局装置へ指定する
ことを特徴とする通信方法。
【請求項２０】
複数のコンポーネントキャリアを使用して基地局装置と移動局装置が通信を行う移動通信システムにおける基地局装置の通信方法であって、
下りリンクコンポーネントキャリアと上りリンクコンポーネントキャリアの対応を、報知情報を使用して、前記移動局装置へ設定し、
１つの前記下りリンクコンポーネントキャリアを前記移動局装置へ設定し、
前記設定した下りリンクコンポーネントキャリアに配置した複数の物理下りリンク制御チャネルを使用して、同一サブフレームで、複数の物理下りリンク共用チャネルを前記移動局装置へ割り当て、
前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの前記上りリンクコンポーネントキャリアにおいて、前記移動局装置へ指定する
ことを特徴とする通信方法。
【請求項２１】
複数のコンポーネントキャリアを使用して基地局装置と移動局装置が通信を行う移動通信システムにおける基地局装置の通信方法であって、
下りリンクコンポーネントキャリアと上りリンクコンポーネントキャリアの対応を、ＲＲＣシグナリングを使用して、前記移動局装置へ設定し、
１つの前記下りリンクコンポーネントキャリアを前記移動局装置へ設定し、
前記設定した下りリンクコンポーネントキャリアに配置した複数の物理下りリンク制御チャネルを使用して、同一サブフレームで、複数の物理下りリンク共用チャネルを前記移動局装置へ割り当て、
前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの前記上りリンクコンポーネントキャリアにおいて、前記移動局装置へ指定する
ことを特徴とする通信方法。
【請求項２２】
前記上りリンクコンポーネントキャリアにおいて、前記複数の物理上りリンク制御チャネルが配置可能なリソース領域を、前記移動局装置へ設定する
ことを特徴とする請求項１９から請求項２１のいずれかに記載の通信方法。
【請求項２３】
複数のコンポーネントキャリアを使用して基地局装置と移動局装置が通信を行う移動通信システムにおける移動局装置の通信方法であって、
１つの下りリンクコンポーネントキャリアを前記基地局装置によって設定され、
前記設定された下りリンクコンポーネントキャリアに配置された複数の物理下りリンク制御チャネルを使用して、同一サブフレームで、複数の物理下りリンク共用チャネルを前記基地局装置によって割り当てられ、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの上りリンクコンポーネントキャリアにおいて、前記基地局装置によって指定される
ことを特徴とする通信方法。
【請求項２４】
複数のコンポーネントキャリアを使用して基地局装置と移動局装置が通信を行う移動通信システムにおける移動局装置の通信方法であって、
下りリンクコンポーネントキャリアと上りリンクコンポーネントキャリアの対応を、報知情報を使用して、前記基地局装置によって設定され、
１つの前記下りリンクコンポーネントキャリアを前記基地局装置によって設定され、
前記設定された下りリンクコンポーネントキャリアに配置された複数の物理下りリンク制御チャネルを使用して、同一サブフレームで、複数の物理下りリンク共用チャネルを前記基地局装置によって割り当てられ、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定される
ことを特徴とする通信方法。
【請求項２５】
複数のコンポーネントキャリアを使用して基地局装置と移動局装置が通信を行う移動通信システムにおける移動局装置の通信方法であって、
下りリンクコンポーネントキャリアと上りリンクコンポーネントキャリアの対応を、ＲＲＣシグナリングを使用して、前記基地局装置によって設定され、
１つの前記下りリンクコンポーネントキャリアを前記基地局装置によって設定され、
前記設定された下りリンクコンポーネントキャリアに配置された複数の物理下りリンク制御チャネルを使用して、同一サブフレームで、複数の物理下りリンク共用チャネルを前記基地局装置によって割り当てられ、
前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定される
ことを特徴とする通信方法。
【請求項２６】
前記上りリンクコンポーネントキャリアにおいて、前記複数の物理上りリンク制御チャネルが配置可能なリソース領域を、前記基地局装置によって設定される
ことを特徴とする請求項２３から請求項２５のいずれかに記載の通信方法。
【請求項２７】
前記複数の物理上りリンク制御チャネルのいずれかの物理上りリンク制御チャネルにＨＡＲＱにおける制御情報を配置して、前記基地局装置へ送信する
ことを特徴とする請求項２３から請求項２６のいずれかに記載の通信方法。
【請求項２８】
前記ＨＡＲＱにおける制御情報は、前記複数の物理下りリンク共用チャネルに配置される下りリンクトランスポートブロックに対するＡＣＫ／ＮＡＣＫを示す情報を含む
ことを特徴とする請求項２７に記載の通信方法。
【請求項２９】
前記ＨＡＲＱにおける制御情報は、前記移動局装置が、物理下りリンク制御チャネルを検出できなかったことを示す情報を含む
ことを特徴とする請求項２７に記載の通信方法。
【発明の詳細な説明】
【技術分野】
【０００１】
本発明は、基地局装置および移動局装置から構成される移動通信システムおよび移動通信方法に関する。
【背景技術】
【０００２】
３ＧＰＰ（3rd Generation Partnership Project）は、Ｗ−ＣＤＭＡ（Wideband-Code Division Multiple Access）と、ＧＳＭ（Global System for Mobile Communications）とを発展させたネットワークを基本した移動通信システムの仕様の検討・作成を行なうプロジェクトである。３ＧＰＰでは、Ｗ−ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「ＬＴＥ（Long Term Evolution）」、もしくは、「ＥＵＴＲＡ（Evolved Universal Terrestrial Radio Access）」と呼称する。）、および、より広帯域な周波数帯域を利用して、さらに高速なデータの送受信を実現する移動通信システム（以下、「ＬＴＥ−Ａ（Long Term Evolution-Advanced）」、もしくは、「Ａｄｖａｎｃｅｄ−ＥＵＴＲＡ」と呼称する。）に関する検討が進められている。【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。【０００４】
一方、ＬＴＥ−Ａにおける通信方式としては、下りリンクでは、ＯＦＤＭＡ方式が、上りリンクでは、ＳＣ−ＦＤＭＡ方式に加えて、ＯＦＤＭＡ方式、Ｃｌｕｓｔｅｒｅｄ−ＳＣ−ＦＤＭＡ（Clustered-Single Carrier-Frequency Division Multiple Access、DFT-s-OFDM with Spectrum Division Controlとも呼称される。）方式を導入することが検討されている。ここで、ＬＴＥおよびＬＴＥ−Ａにおいて、上りリンクの通信方式として提案されているＳＣ−ＦＤＭＡ方式は、データを送信する際のＰＡＰＲ（Peak to Average Power Ratio：ピーク電力対平均電力比）を低く抑えることができるという特徴を持っている。【０００５】
また、ＬＴＥ−Ａでは、一般的な移動通信システムで使用する周波数帯域は連続であるのに対し、連続／不連続な複数の周波数帯域（以下、「キャリア要素、キャリアコンポーネント（ＣＣ：Carrier Component）」、もしくは、「要素キャリア、コンポーネントキャリア（ＣＣ：Component Carrier）」と呼称する。）を複合的に使用して、１つの周波数帯域（広帯域な周波数帯域）として運用する（周波数帯域集約：Spectrum aggregation、Carrier aggregation、Frequency aggregationなどとも呼称される。）ことが検討されている。さらに、基地局装置および移動局装置が、広帯域な周波数帯域をより柔軟に使用して通信を行なうために、下りリンクの通信に使用する周波数帯域と上りリンクの通信に使用する周波数帯域を異なる周波数帯域幅とする（非対称周波数帯域集約：Asymmetric carrier aggregation）ことも提案されている（非特許文献１）。【０００６】
図９は、従来の技術における周波数帯域集約を説明する図である。ここで、図９に示されるような下りリンク（ＤＬ：Down Link）の通信に使用する周波数帯域と上りリンク（ＵＬ：Up Link）の通信に使用する周波数帯域を同じ帯域幅とすることは、対称周波数帯域集約（Symmetric carrier aggregation）とも呼称される。図９に示すように、基地局装置と移動局装置は、連続／不連続な周波数帯域である複数のキャリア要素を複合的に使用することによって、複数のキャリア要素から構成される広帯域な周波数帯域で通信を行うことができる。ここでは、例として、１００ＭＨｚの帯域幅を持った下りリンクの通信に使用する周波数帯域（以下、ＤＬシステム帯域、ＤＬシステム帯域幅とも呼称する）が、２０ＭＨｚの帯域幅を持った５つのキャリア要素（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用する周波数帯域（以下、ＵＬシステム帯域、ＵＬシステム帯域幅とも呼称する）が、２０ＭＨｚの帯域幅を持った５つのキャリア要素（ＵＣＣ１：Uplink Component Carrier１、ＵＣＣ２、ＵＣＣ３、ＵＣＣ４、ＵＣＣ５）によって構成されていることを示している。【０００７】
図９において、下りリンクのキャリア要素それぞれには、物理下りリンク制御チャネル（以下、ＰＤＣＣＨ：Physical Downlink Control Channel）、物理下りリンク共用チャネル（以下、ＰＤＳＣＨ：Physical Downlink Shared Channel）等の下りリンクのチャネルが配置され、基地局装置は、下りリンクのキャリア要素それぞれに配置されたＰＤＳＣＨを使用して送信される下りリンクトランスポートブロックを送信するための制御情報（リソース割り当て情報、ＭＣＳ（Modulation and Coding Scheme、変調符号化方式）情報、ＨＡＲＱ（Hybrid Automatic Repeat Request、ハイブリッド自動再送要求）処理情報など）を、ＰＤＣＣＨを使用して移動局装置に送信し（ＰＤＣＣＨを使用して移動局装置にＰＤＳＣＨを割り当て）、ＰＤＳＣＨを使用して下りリンクトランスポートブロックを移動局装置へ送信する。【０００８】
また、上りリンクのキャリア要素それぞれには、物理上りリンク制御チャネル（以下、ＰＵＣＣＨ：Physical Uplink Control Channel）、物理上りリンク共用チャネル（以下、ＰＵＳＣＨ：Physical Uplink Shared Channel）等の上りリンクのチャネルが配置され、移動局装置は、上りリンクのキャリア要素それぞれに配置されたＰＵＣＣＨおよび／またはＰＵＳＣＨを使用して、物理下りリンク制御チャネルおよび／または下りリンクトランスポートブロックに対するＨＡＲＱにおける制御信号（制御情報）を基地局装置へ送信する。ここで、ＨＡＲＱにおける制御信号（制御情報）とは、物理下りリンク制御チャネルおよび／または下りリンクトランスポートブロックに対するＡＣＫ／ＮＡＣＫ（肯定応答：Positive Acknowledgement／否定応答：Negative Acknowledgement、ＡＣＫ信号またはＮＡＣＫ信号）を示す信号（情報）および／またはＤＴＸ（Discontinuous Transmission）を示す信号（情報）のことである。ＤＴＸとは、移動局装置が基地局装置からのＰＤＣＣＨを検出できなかったことを示す信号（情報）である。ここで、図９において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。【０００９】
同様に、図１０は、従来の技術における非対称周波数帯域集約を説明する図である。図１０に示すように、基地局装置と移動局装置は、下りリンクの通信に使用する周波数帯域と上りリンクの通信に使用する周波数帯域を異なる帯域幅とし、これらの周波数帯域を構成するキャリア要素を複合的に使用して広帯域な周波数帯域で通信を行うことができる。ここでは、例として、１００ＭＨｚの帯域幅を持った下りリンクの通信に使用する周波数帯域が、２０ＭＨｚの帯域幅を持った５つのキャリア要素（ＤＣＣ１、ＤＣＣ２、ＤＣＣ３、ＤＣＣ４、ＤＣＣ５）によって構成され、また、４０ＭＨｚの帯域幅を持った上りリンクの通信に使用する周波数帯域が、２０ＭＨｚの帯域幅を持った２つのキャリア要素（ＵＣＣ１、ＵＣＣ２）によって構成されていることを示している。図１０において、下りリンク／上りリンクのキャリア要素のそれぞれには下りリンク／上りリンクのチャネルが配置され、基地局装置は、ＰＤＣＣＨで割り当てたＰＤＳＣＨを使用して下りリンクトランスポートブロックを移動局装置へ送信し、移動局装置は、ＰＵＣＣＨおよび／またはＰＵＳＣＨを使用して、ＨＡＲＱにおける制御信号を基地局装置へ送信する。【００１０】
また、ＬＴＥ−Ａでは、基地局装置が、下りリンクのキャリア要素に配置されるＰＤＣＣＨを使用してＰＤＳＣＨの割り当てを行う際の様々な方法が提案されている（非特許文献２）。図１１は、従来の技術におけるＰＤＣＣＨを使用したＰＤＳＣＨの割り当て方法の１つを説明する図である。図１１は、図９、図１０における下りリンクのキャリア要素の一部分（ＤＣＣ１、ＤＣＣ２、ＤＣＣ３の部分）を拡大したものである。図１１に示すように、基地局装置は、下りリンクの１つのキャリア要素内に配置された複数のＰＤＣＣＨを使用して、複数のＰＤＳＣＨの割り当てを行うことができる。図１１では、例として、基地局装置が、ＤＣＣ２に配置された３つのＰＤＣＣＨ（それぞれ斜線、格子線、網線で示されるＰＤＣＣＨ）を使用してＤＣＣ１、ＤＣＣ２、ＤＣＣ３に配置されるＰＤＳＣＨを割り当てている（斜線で示されるＰＤＣＣＨでＤＣＣ１のＰＤＳＣＨを、格子線で示されるＰＤＣＣＨでＤＣＣ２のＰＤＳＣＨを、網線で示されるＰＤＣＣＨでＤＣＣ３のＰＤＳＣＨを割り当てている）ことを示している。基地局装置は、ＤＣＣ１、ＤＣＣ２、ＤＣＣ３に配置されたＰＤＳＣＨを使用して、（最大３つまでの）下りリンクトランスポートブロックを同一サブフレームで移動局装置へ送信することができる。
【先行技術文献】
【非特許文献】
【００１１】
【非特許文献１】"Initial Access Procedure for Asymmetric Wider Bandwidth in LTE-Advanced ", 3GPP TSG RAN WG1 Meeting #55, R1-084249, November 10-14, 2008.
【非特許文献２】"PDCCH Design of Carrier Aggregation", 3GPP TSG RAN WG1 Meeting #57, R1-091829, May 4-8, 2009.
【発明の概要】
【発明が解決しようとする課題】
【００１２】
しかしながら、従来の技術では、基地局装置が、複数のＰＤＣＣＨを使用して複数のＰＤＳＣＨを割り当て、割り当てた複数のＰＤＳＣＨを使用して複数の下りリンクトランスポートブロックを同一サブフレームで移動局装置へ送信した際に、移動局装置が、複数のＰＤＣＣＨおよび／または複数の下りリンクトランスポートブロックに対するＨＡＲＱにおける制御信号を、どのように基地局装置へ送信するかが明確にされていなかった。【００１３】
基地局装置と移動局装置が、ＨＡＲＱにおける制御信号を送受信する際には、移動局装置がＨＡＲＱにおける制御信号を配置するためのリソースを、基地局装置によって効率的に割り当てなければならない。例えば、ＨＡＲＱにおける制御信号を送信する移動局装置に対して、基地局装置が、ＨＡＲＱにおける制御信号を配置するためのリソースを全て明示的に指定していては、指定のために使用される無線リソースに無駄が生じてしまう。移動局装置がＨＡＲＱにおける制御信号を配置するためのリソースを、基地局装置によって効率的に指定する方法が求められる。【００１４】
このように、従来の技術では、基地局装置が、複数のＰＤＣＣＨを使用して複数のＰＤＳＣＨを割り当て、割り当てた複数のＰＤＳＣＨを使用して複数の下りリンクトランスポートブロックを同一サブフレームで移動局装置へ送信した際に、基地局装置によるＨＡＲＱにおける制御信号を配置するためのリソースの指定方法が非効率であるという問題があった。【００１５】
本発明は、このような事情に鑑みてなされたものであり、基地局装置によるＨＡＲＱにおける制御信号を配置するためのリソースの指定方法を考慮した移動通信システムおよび移動通信方法を提供することを目的とする。
【課題を解決するための手段】
【００１６】
（１）上記の目的を達成するために、本発明は、以下のような手段を講じた。すなわち、本発明の移動通信システムは、複数のコンポーネントキャリアを使用して基地局装置と移動局装置が通信を行う移動通信システムであって、前記基地局装置は、１つの下りリンクコンポーネントキャリアを前記移動局装置へ設定し、前記設定した下りリンクコンポーネントキャリアに配置した複数の物理下りリンク制御チャネルを使用して、同一サブフレームで、複数の物理下りリンク共用チャネルを前記移動局装置へ割り当て、  前記移動局装置は、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの上りリンクコンポーネントキャリアにおいて、前記基地局装置によって指定されることを特徴としている。【００１７】
（２）また、複数のコンポーネントキャリアを使用して基地局装置と移動局装置が通信を行う移動通信システムであって、前記基地局装置は、下りリンクコンポーネントキャリアと上りリンクコンポーネントキャリアの対応を、報知情報を使用して、前記移動局装置へ設定し、１つの前記下りリンクコンポーネントキャリアを前記移動局装置へ設定し、前記設定した下りリンクコンポーネントキャリアに配置した複数の物理下りリンク制御チャネルを使用して、同一サブフレームで、複数の物理下りリンク共用チャネルを前記移動局装置へ割り当て、前記移動局装置は、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定されることを特徴としている。【００１８】
（３）また、複数のコンポーネントキャリアを使用して基地局装置と移動局装置が通信を行う移動通信システムであって、前記基地局装置は、下りリンクコンポーネントキャリアと上りリンクコンポーネントキャリアの対応を、ＲＲＣシグナリングを使用して、前記移動局装置へ設定し、１つの前記下りリンクコンポーネントキャリアを前記移動局装置へ設定し、前記設定した下りリンクコンポーネントキャリアに配置した複数の物理下りリンク制御チャネルを使用して、同一サブフレームで、複数の物理下りリンク共用チャネルを前記移動局装置へ割り当て、前記移動局装置は、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定されることを特徴としている。【００１９】
（４）また、前記上りリンクコンポーネントキャリアにおいて、前記複数の物理上りリンク制御チャネルが配置可能なリソース領域は、前記基地局装置によって前記移動局装置へ設定されることを特徴としている。【００２０】
（５）また、前記移動局装置は、前記複数の物理上りリンク制御チャネルのいずれかの物理上りリンク制御チャネルにＨＡＲＱにおける制御情報を配置して、前記基地局装置へ送信することを特徴としている。【００２１】
（６）また、前記ＨＡＲＱにおける制御情報は、前記複数の物理下りリンク共用チャネルに配置される下りリンクトランスポートブロックに対するＡＣＫ／ＮＡＣＫを示す情報を含むことを特徴としている。【００２２】
（７）また、前記ＨＡＲＱにおける制御情報は、前記移動局装置が、物理下りリンク制御チャネルを検出できなかったことを示す情報を含むことを特徴としている。【００２３】
（８）また、複数のコンポーネントキャリアを使用して基地局装置と移動局装置が通信を行う移動通信システムにおける基地局装置であって、１つの下りリンクコンポーネントキャリアを前記移動局装置へ設定する手段と、前記設定した下りリンクコンポーネントキャリアに配置した複数の物理下りリンク制御チャネルを使用して、同一サブフレームで、複数の物理下りリンク共用チャネルを前記移動局装置へ割り当てる手段と、前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの上りリンクコンポーネントキャリアにおいて、前記移動局装置へ指定する手段と、を備えることを特徴としている。【００２４】
（９）また、複数のコンポーネントキャリアを使用して基地局装置と移動局装置が通信を行う移動通信システムにおける基地局装置であって、下りリンクコンポーネントキャリアと上りリンクコンポーネントキャリアの対応を、報知情報を使用して、前記移動局装置へ設定する手段と、１つの前記下りリンクコンポーネントキャリアを前記移動局装置へ設定する手段と、前記設定した下りリンクコンポーネントキャリアに配置した複数の物理下りリンク制御チャネルを使用して、同一サブフレームで、複数の物理下りリンク共用チャネルを前記移動局装置へ割り当てる手段と、前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの前記上りリンクコンポーネントキャリアにおいて、前記移動局装置へ指定する手段と、を備えることを特徴としている。【００２５】
（１０）また、複数のコンポーネントキャリアを使用して基地局装置と移動局装置が通信を行う移動通信システムにおける基地局装置であって、下りリンクコンポーネントキャリアと上りリンクコンポーネントキャリアの対応を、ＲＲＣシグナリングを使用して、前記移動局装置へ設定する手段と、１つの前記下りリンクコンポーネントキャリアを前記移動局装置へ設定する手段と、前記設定した下りリンクコンポーネントキャリアに配置した複数の物理下りリンク制御チャネルを使用して、同一サブフレームで、複数の物理下りリンク共用チャネルを前記移動局装置へ割り当てる手段と、前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの前記上りリンクコンポーネントキャリアにおいて、前記移動局装置へ指定する手段と、を備えることを特徴としている。【００２６】
（１１）また、前記上りリンクコンポーネントキャリアにおいて、前記複数の物理上りリンク制御チャネルが配置可能なリソース領域を、前記移動局装置へ設定する手段を、を備えることを特徴としている。【００２７】
（１２）また、複数のコンポーネントキャリアを使用して基地局装置と移動局装置が通信を行う移動通信システムにおける移動局装置であって、１つの下りリンクコンポーネントキャリアを前記基地局装置によって設定される手段と、前記設定された下りリンクコンポーネントキャリアに配置された複数の物理下りリンク制御チャネルを使用して、同一サブフレームで、複数の物理下りリンク共用チャネルを前記基地局装置によって割り当てられる手段と、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの上りリンクコンポーネントキャリアにおいて、前記基地局装置によって指定される手段と、を備えることを特徴としている。【００２８】
（１３）また、複数のコンポーネントキャリアを使用して基地局装置と移動局装置が通信を行う移動通信システムにおける移動局装置であって、下りリンクコンポーネントキャリアと上りリンクコンポーネントキャリアの対応を、報知情報を使用して、前記基地局装置によって設定される手段と、１つの前記下りリンクコンポーネントキャリアを前記基地局装置によって設定される手段と、前記設定された下りリンクコンポーネントキャリアに配置された複数の物理下りリンク制御チャネルを使用して、同一サブフレームで、複数の物理下りリンク共用チャネルを前記基地局装置によって割り当てられる手段と、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定される手段と、を備えることを特徴としている。【００２９】
（１４）また、複数のコンポーネントキャリアを使用して基地局装置と移動局装置が通信を行う移動通信システムにおける移動局装置であって、下りリンクコンポーネントキャリアと上りリンクコンポーネントキャリアの対応を、ＲＲＣシグナリングを使用して、前記基地局装置によって設定される手段と、１つの前記下りリンクコンポーネントキャリアを前記基地局装置によって設定される手段と、前記設定された下りリンクコンポーネントキャリアに配置された複数の物理下りリンク制御チャネルを使用して、同一サブフレームで、複数の物理下りリンク共用チャネルを前記基地局装置によって割り当てられる手段と、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定される手段と、を備えることを特徴としている。【００３０】
（１５）また、前記上りリンクコンポーネントキャリアにおいて、前記複数の物理上りリンク制御チャネルが配置可能なリソース領域を、前記基地局装置によって設定される手段を、を備えることを特徴としている。【００３１】
（１６）また、前記複数の物理上りリンク制御チャネルのいずれかの物理上りリンク制御チャネルにＨＡＲＱにおける制御情報を配置して、前記基地局装置へ送信する手段を、を備えることを特徴としている。【００３２】
（１７）また、前記ＨＡＲＱにおける制御情報は、前記複数の物理下りリンク共用チャネルに配置される下りリンクトランスポートブロックに対するＡＣＫ／ＮＡＣＫを示す情報を含むことを特徴としている。【００３３】
（１８）また、前記ＨＡＲＱにおける制御情報は、前記移動局装置が、物理下りリンク制御チャネルを検出できなかったことを示す情報を含むことを特徴としている。【００３４】
（１９）また、複数のコンポーネントキャリアを使用して基地局装置と移動局装置が通信を行う移動通信システムにおける基地局装置の通信方法であって、１つの下りリンクコンポーネントキャリアを前記移動局装置へ設定し、前記設定した下りリンクコンポーネントキャリアに配置した複数の物理下りリンク制御チャネルを使用して、同一サブフレームで、複数の物理下りリンク共用チャネルを前記移動局装置へ割り当て、前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの上りリンクコンポーネントキャリアにおいて、前記移動局装置へ指定することを特徴としている。【００３５】
（２０）また、複数のコンポーネントキャリアを使用して基地局装置と移動局装置が通信を行う移動通信システムにおける基地局装置の通信方法であって、下りリンクコンポーネントキャリアと上りリンクコンポーネントキャリアの対応を、報知情報を使用して、前記移動局装置へ設定し、１つの前記下りリンクコンポーネントキャリアを前記移動局装置へ設定し、前記設定した下りリンクコンポーネントキャリアに配置した複数の物理下りリンク制御チャネルを使用して、同一サブフレームで、複数の物理下りリンク共用チャネルを前記移動局装置へ割り当て、前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの前記上りリンクコンポーネントキャリアにおいて、前記移動局装置へ指定することを特徴としている。【００３６】
（２１）また、複数のコンポーネントキャリアを使用して基地局装置と移動局装置が通信を行う移動通信システムにおける基地局装置の通信方法であって、下りリンクコンポーネントキャリアと上りリンクコンポーネントキャリアの対応を、ＲＲＣシグナリングを使用して、前記移動局装置へ設定し、１つの前記下りリンクコンポーネントキャリアを前記移動局装置へ設定し、前記設定した下りリンクコンポーネントキャリアに配置した複数の物理下りリンク制御チャネルを使用して、同一サブフレームで、複数の物理下りリンク共用チャネルを前記移動局装置へ割り当て、前記設定した下りリンクコンポーネントキャリアに配置した前記複数の物理下りリンク制御チャネルそれぞれに対応する複数の物理上りリンク制御チャネルを、前記設定した下りリンクコンポーネントキャリアに対応する１つの前記上りリンクコンポーネントキャリアにおいて、前記移動局装置へ指定することを特徴としている。【００３７】
（２２）また、前記上りリンクコンポーネントキャリアにおいて、前記複数の物理上りリンク制御チャネルが配置可能なリソース領域を、前記移動局装置へ設定することを特徴としている。【００３８】
（２３）また、複数のコンポーネントキャリアを使用して基地局装置と移動局装置が通信を行う移動通信システムにおける移動局装置の通信方法であって、１つの下りリンクコンポーネントキャリアを前記基地局装置によって設定され、前記設定された下りリンクコンポーネントキャリアに配置された複数の物理下りリンク制御チャネルを使用して、同一サブフレームで、複数の物理下りリンク共用チャネルを前記基地局装置によって割り当てられ、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの上りリンクコンポーネントキャリアにおいて、前記基地局装置によって指定されることを特徴としている。【００３９】
（２４）また、複数のコンポーネントキャリアを使用して基地局装置と移動局装置が通信を行う移動通信システムにおける移動局装置の通信方法であって、下りリンクコンポーネントキャリアと上りリンクコンポーネントキャリアの対応を、報知情報を使用して、前記基地局装置によって設定され、１つの前記下りリンクコンポーネントキャリアを前記基地局装置によって設定され、前記設定された下りリンクコンポーネントキャリアに配置された複数の物理下りリンク制御チャネルを使用して、同一サブフレームで、複数の物理下りリンク共用チャネルを前記基地局装置によって割り当てられ、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定されることを特徴としている。【００４０】
（２５）また、複数のコンポーネントキャリアを使用して基地局装置と移動局装置が通信を行う移動通信システムにおける移動局装置の通信方法であって、下りリンクコンポーネントキャリアと上りリンクコンポーネントキャリアの対応を、ＲＲＣシグナリングを使用して、前記基地局装置によって設定され、１つの前記下りリンクコンポーネントキャリアを前記基地局装置によって設定され、前記設定された下りリンクコンポーネントキャリアに配置された複数の物理下りリンク制御チャネルを使用して、同一サブフレームで、複数の物理下りリンク共用チャネルを前記基地局装置によって割り当てられ、前記設定された下りリンクコンポーネントキャリアに配置された前記複数の物理下りリンク制御チャネルそれぞれに対応する複数の物理上りリンク制御チャネルを、前記設定された下りリンクコンポーネントキャリアに対応する１つの前記上りリンクコンポーネントキャリアにおいて、前記基地局装置によって指定されることを特徴としている。【００４１】
（２６）また、前記上りリンクコンポーネントキャリアにおいて、前記複数の物理上りリンク制御チャネルが配置可能なリソース領域を、前記基地局装置によって設定されることを特徴としている。【００４２】
（２７）また、前記複数の物理上りリンク制御チャネルのいずれかの物理上りリンク制御チャネルにＨＡＲＱにおける制御情報を配置して、前記基地局装置へ送信することを特徴としている。【００４３】
（２８）また、前記ＨＡＲＱにおける制御情報は、前記複数の物理下りリンク共用チャネルに配置される下りリンクトランスポートブロックに対するＡＣＫ／ＮＡＣＫを示す情報を含むことを特徴としている。【００４４】
（２９）また、前記ＨＡＲＱにおける制御情報は、前記移動局装置が、物理下りリンク制御チャネルを検出できなかったことを示す情報を含むことを特徴としている。
【発明の効果】
【００４５】
本発明によれば、連続／不連続な複数の周波数帯域（キャリア要素）から構成される広帯域な周波数帯域を使用して通信を行う基地局装置と移動局装置が、ＨＡＲＱにおける制御信号を効率的に送受信することが可能となる。
【図面の簡単な説明】
【００４６】
【図１】物理チャネルの構成を概念的に示す図である。
【図２】本発明の実施形態に係る基地局装置１００の概略構成を示すブロック図である。
【図３】本発明の実施形態に係る移動局装置２００の概略構成を示すブロック図である。
【図４】第１の実施形態が適用可能な移動通信システムの例を示す図である。
【図５】第１の実施形態が適用可能な移動通信システムの例を示す別の図である。
【図６】第２の実施形態が適用可能な移動通信システムの例を示す図である。
【図７】第２の実施形態が適用可能な移動通信システムの例を示す別の図である。
【図８】第２の実施形態が適用可能な移動通信システムの例を示す別の図である。
【図９】従来の技術における上りリンクおよび下りリンクの周波数帯域を示す図である。
【図１０】従来の技術における上りリンクおよび下りリンクの周波数帯域を示す図である。
【図１１】従来の技術における物理下りリンク制御チャネルによる物理下りリンク共用チャネルの割り当て方法を示す図である。
【発明を実施するための形態】
【００４７】
次に、本発明に係る実施形態について、図面を参照しながら説明する。図１は、本発明の実施形態におけるチャネルの一構成例を示す図である。下りリンクの物理チャネルは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）によって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）によって構成される。
【００４８】
物理報知チャネル（ＰＢＣＨ）は、４０ミリ秒間隔で報知チャネル（ＢＣＨ）をマッピングする。４０ミリ秒のタイミングは、ブラインド検出（blind detection）される。すなわち、タイミング提示のために、明示的なシグナリングを行なわない。また、物理報知チャネル（ＰＢＣＨ）を含むサブフレームは、そのサブフレームだけで復号できる（自己復号可能：self-decodable）。
【００４９】
物理下りリンク制御チャネル（ＰＤＣＣＨ）は、物理下りリンク共用チャネル（ＰＤＳＣＨ）のリソース割り当て、下りリンクデータに対するハイブリッド自動再送要求（ＨＡＲＱ：Hybrid Automatic Repeat Request）情報、および、物理上りリンク共用チャネル（ＰＵＳＣＨ）のリソース割り当てである上りリンク送信許可を移動局装置に通知するために使用されるチャネルである。ＰＤＤＣＨは、複数の制御チャネル要素（ＣＣＥ：Control Channel Element）によって構成され、移動局装置は、このＣＣＥで構成されるＰＤＣＣＨを検出することによって、基地局装置からＰＤＣＣＨを受信する。ＣＣＥは、周波数、時間領域において分散している複数のリソースエレメントグループ（ＲＥＧ：Resource Element Group、mini-CCEとも呼ばれる）によって構成される。ここで、リソースエレメントとは、１ＯＦＤＭシンボル（時間成分）、1サブキャリア（周波数成分）で構成される単位リソースであり、例えば、ＲＥＧは、同一ＯＦＤＭシンボル内の周波数領域において、下りリンクパイロットチャネルを除いて、周波数領域で連続する４個の下りリンクのリソースエレメントによって構成される。また、例えば、１つのＰＤＣＣＨは、ＣＣＥを識別する番号（ＣＣＥインデックス）が連続する１個、２個、４個、８個のＣＣＥによって構成される。
【００５０】
ＰＤＣＣＨは、移動局装置ごと、種別ごとに別々に符号化（Separate Coding）される。すなわち、移動局装置は、複数のＰＤＣＣＨを検出して、下りリンクまたは上りリンクのリソース割り当てや、その他の制御情報を示す情報を取得する。各ＰＤＣＣＨには、フォーマットを識別可能なＣＲＣ（巡回冗長検査）の値が付与されており、移動局装置は、ＰＤＣＣＨが構成されうるＣＣＥのセットのそれぞれに対してＣＲＣを行い、ＣＲＣが成功したＰＤＣＣＨを取得する。これは、ブラインドデコーディング（blind decoding）と呼ばれ、移動局装置が、このブラインドデコーディングを行うＰＤＣＣＨが構成されうるＣＣＥのセットの範囲は、検索領域（Search Space）と呼ばれる。移動局装置は、検索領域内のＣＣＥに対して、ブラインドデコーディングを行い、ＰＤＣＣＨの検出を行う。
【００５１】
移動局装置は、ＰＤＣＣＨに物理下りリンク共用チャネル（ＰＤＳＣＨ）のリソース割り当てが含まれる場合、基地局装置からのＰＤＣＣＨによって指示されたリソース割り当てに応じて、物理下りリンク共用チャネル（ＰＤＳＣＨ）を使用してデータ（下りリンクデータ（下りリンク共用チャネル（ＤＬ−ＳＣＨ））、および／または、下りリンク制御データ）を受信する。すなわち、このＰＤＣＣＨは、下りリンクに対するリソース割り当てを行なう信号（以下、「下りリンク送信許可信号」または「下りリンクグラント」と呼称する。）である。また、移動局装置は、ＰＤＣＣＨに上りリンク共用チャネルのリソース割り当てが含まれる場合、基地局装置からのＰＤＣＣＨによって指示されたリソース割り当てに応じて、物理上りリンク共用チャネル（ＰＵＳＣＨ）を使用してデータ（上りリンクデータ（上りリンク共用チャネル（ＵＬ−ＳＣＨ））、および／または、上りリンク制御データ）を送信する。すなわち、このＰＤＣＣＨは、上りリンクに対するデータ送信を許可する信号（以下、「上りリンク送信許可信号」または「上りリンクグラント」と呼称する。）である。
【００５２】
物理下りリンク共用チャネル（ＰＤＳＣＨ）は、下りリンクデータ（下りリンク共用チャネル：ＤＬ−ＳＣＨ）またはページング情報（ページングチャネル：ＰＣＨ）を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００５３】
ここで、下りリンクデータ（ＤＬ−ＳＣＨ）とは、例えば、ユーザーデータの送信を示しており、ＤＬ−ＳＣＨは、トランスポートチャネルである。ＤＬ−ＳＣＨでは、ＨＡＲＱ、動的適応無線リンク制御がサポートされ、また、ビームフォーミングを利用可能である。ＤＬ−ＳＣＨは、動的なリソース割り当て、および、準静的なリソース割り当てがサポートされる。
【００５４】
物理上りリンク共用チャネル（ＰＵＳＣＨ）は、主に、上りリンクデータ（上りリンク共用チャネル：ＵＬ−ＳＣＨ）を送信するために使用されるチャネルである。また、基地局装置が、移動局装置をスケジューリングした場合には、制御データもＰＵＳＣＨを使用して送信される。この制御データには、チャネル状態情報、例えば、下りリンクのチャネル品質識別子ＣＱＩ（Channel Quality Indicator）、プレコーディングマトリックス識別子ＰＭＩ（PrecodingMatrix Indicator）、ランク識別子ＲＩ（Rank Indicator）や、下りリンク送信（下りリンクトランスポートブロック）に対するＨＡＲＱのＡＣＫ／ＮＡＣＫなどが含まれる。
【００５５】
ここで、上りリンクデータ（ＵＬ−ＳＣＨ）とは、例えば、ユーザーデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングを利用可能である。ＵＬ−ＳＣＨは、動的なリソース割り当て、および、準静的なリソース割り当てがサポートされる。
【００５６】
また、上りリンクデータ（ＵＬ−ＳＣＨ）および下りリンクデータ（ＤＬ−ＳＣＨ）には、基地局装置と移動局装置の間でやり取りされる無線資源制御信号（以下、「ＲＲＣシグナリング：Radio Resource Control Signaling」と呼称する。）、ＭＡＣ（Medium Access Control）コントロールエレメントなどが含まれていても良い。
【００５７】
物理上りリンク制御チャネル（ＰＵＣＣＨ）は、制御データを送信するために使用されるチャネルである。ここで制御データとは、例えば、移動局装置から基地局装置へ送信（フィードバック）されるチャネル状態情報（ＣＱＩ、ＰＭＩ、ＲＩ）、移動局装置が、上りリンクデータを送信するためのリソースの割り当てを要求する（ＵＬ−ＳＣＨでの送信を要求する）スケジューリング要求（ＳＲ: Scheduling Request）、下りリンク送信（下りリンクトランスポートブロック）に対するＨＡＲＱのＡＣＫ／ＮＡＣＫなどが含まれる。
【００５８】
物理制御フォーマット指示チャネル（ＰＣＦＩＣＨ）は、ＰＤＣＣＨのために使用されるＯＦＤＭシンボル数を移動局装置に通知するために利用するチャネルであり、各サブフレームで送信される。物理ハイブリッド自動再送要求指示チャネル（ＰＨＩＣＨ）は、上りリンクデータのＨＡＲＱに使用されるＡＣＫ／ＮＡＣＫを送信するために利用するチャネルである。物理ランダムアクセスチャネル（ＰＲＡＣＨ）は、ランダムアクセスプリアンブルを送信するために使用されるチャネルであり、ガードタイムを持つ。図１に示すように、本実施形態に係る移動通信システムは、基地局装置１００と、移動局装置２００と、から構成される。
【００５９】
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。
【００６０】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００６１】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００６２】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００６３】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００６４】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６５】
スケジューリング部１０４は、下りリンクのスケジューリングでは、移動局装置２００から受信したフィードバック情報（上りリンクのチャネル状態情報（ＣＱＩ、ＰＭＩ、ＲＩ）や、下りリンクデータに対するＡＣＫ／ＮＡＣＫ情報など）、各移動局装置の使用可能なＰＲＢの情報、バッファ状況、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００６６】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６７】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６８】
チャネル推定部１０５は、上りリンクデータの復調のために、上りリンク復調用参照信号（ＤＲＳ：Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００６９】
受信データ復調部１０６は、ＯＦＤＭ方式、および／または、ＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００７０】
データ抽出部１０７は、受信データ復調部１０６から入力されたデータに対して、正誤を確認するとともに、確認結果（肯定信号ＡＣＫ／否定信号ＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から通知されたチャネル状態情報（ＣＱＩ、ＰＭＩ、ＲＩ）やＡＣＫ／ＮＡＣＫ情報、スケジューリング要求などが含まれている。
【００７１】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００７２】
上位層１０８は、無線リソース制御部１１０（制御部とも言う。）を有している。また、無線リソース制御部１１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。上位層１０８は、別の基地局装置への情報および上位ノードへの情報の授受を行なう。
【００７３】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。
【００７４】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。 
【００７５】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００７６】
送信データ変調部２０２は、送信データをＯＦＤＭ方式、および／または、ＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７７】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７８】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７９】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００８０】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００８１】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネル状態情報（ＣＱＩ、ＰＭＩ、ＲＩ）や、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００８２】
チャネル推定部２０５は、下りリンクデータの復調のために、下りリンク参照信号（ＲＳ）から下りリンクのチャネル状態を推定し、その推定結果を受信データ復調部２０６に出力する。また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態情報（ＣＱＩ、ＰＭＩ、ＲＩなど）に変換して、スケジューリング部２０４に出力する。
【００８３】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００８４】
データ抽出部２０７は、受信データ復調部２０６から入力されたデータに対して、ＣＲＣチェックを行ない、正誤を確認するとともに、確認結果（肯定応答ＡＣＫ／否定応答ＮＡＣＫ）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００８５】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００８６】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００８７】
（第１の実施形態）
次に、基地局装置１００および移動局装置２００を用いた移動通信システムにおける第１の実施形態を説明する。第１の実施形態では、基地局装置は、下りリンクの１つのキャリア要素内に配置された複数のＰＤＣＣＨを使用して、複数のＰＤＣＣＨが配置されたキャリア要素、もしくは、複数のＰＤＣＣＨが配置されたキャリア要素とは異なるキャリア要素に配置される複数のＰＤＳＣＨを割り当て、割り当てた複数のＰＤＳＣＨを使用して複数の下りリンクトランスポートブロックを同一サブフレームで移動局装置へ送信する。移動局装置は、複数のＰＤＣＣＨおよび／または複数の下りリンクトランスポートブロックに対するＨＡＲＱにおける制御信号を、前記下りリンクの１つのキャリア要素に対応する上りリンクの１つのキャリア要素内でバンドリング（bundling：束にして、塊にして）、もしくは、多重して（multiplexing、複数ビットを使用して）基地局装置へ送信する。基地局装置は、複数のＰＤＣＣＨが配置された下りリンクの１つのキャリア要素に対応する上りリンクの１つのキャリア要素内でバンドリング、もしくは、多重された複数のＰＤＣＣＨおよび／または複数の下りリンクトランスポートブロックに対するＨＡＲＱにおける制御信号を、移動局装置から受信する。
【００８８】
ここで、移動局装置が基地局装置へ送信するＨＡＲＱにおける制御信号（制御情報）とは、ＰＤＣＣＨおよび／または下りリンクトランスポートブロックに対するＡＣＫ／ＮＡＣＫを示す信号（情報）および／またはＤＴＸを示す信号（情報）のことである。ＤＴＸとは、移動局装置が基地局装置からのＰＤＣＣＨを検出できなかったことを示す信号（情報）である。
【００８９】
以下、第１の実施形態では、周波数帯域は、帯域幅（Ｈｚ）で定義されているが、周波数と時間で構成されるリソースブロック（ＲＢ）の数で定義されても良い。本実施形態におけるキャリア要素とは、（広帯域な）システム帯域を持った移動通信システムにおいて、基地局装置と移動局装置が通信を行なう際に使用する（狭帯域な）周波数帯域を示している。基地局装置と移動局装置は、複数のキャリア要素（例えば、２０ＭＨｚの帯域幅を持った５つの周波数帯域）を集約する(周波数帯域集約：Spectrum aggregation、Carrier aggregation、Frequency aggregationなどとも呼ばれる）ことによって、（広帯域な）システム帯域（例えば、１００ＭＨｚの帯域幅を持ったＤＬ／ＵＬシステム帯域）を構成し、複数のキャリア要素を複合的に使用することによって、高速なデータ通信（情報の送受信）を実現することができる。
【００９０】
キャリア要素とは、この（広帯域な）システム帯域（例えば、１００ＭＨｚの帯域幅を持ったＤＬ／ＵＬシステム帯域）を構成する（狭帯域な）周波数帯域（例えば、２０ＭＨｚの帯域幅を持った周波数帯域）それぞれのことを示している。すなわち、下りリンクのキャリア要素は、基地局装置と移動局装置が、下りリンクの情報を送受信する際に使用可能な周波数帯域の中の一部の帯域幅を有し、上りリンクのキャリア要素は、基地局装置と移動局装置が、上りリンクの情報を送受信する際に使用可能な周波数帯域の中の一部の帯域幅を有している。また、キャリア要素は、ある特定の物理チャネル（例えば、ＰＤＣＣＨ、ＰＵＣＣＨなど）が構成される単位として定義されてもよい。
【００９１】
ここで、キャリア要素は、連続な周波数帯域に配置されていても、不連続な周波数帯域に配置されていてもよく、連続および／または不連続な周波数帯域である複数のキャリア要素を集約することによって、広帯域なシステム帯域を構成することができる。さらに、キャリア要素によって構成される下りリンクの周波数帯域（ＤＬシステム帯域、ＤＬシステム帯域幅）および上りリンクの周波数帯域（ＵＬシステム帯域、ＵＬシステム帯域幅）は、同じ帯域幅である必要はない。基地局装置と移動局装置は、ＤＬシステム帯域とＵＬシステム帯域が異なる帯域幅であっても、それらの周波数帯域を使用して通信を行なうことができる（上述した非対称周波数帯域集約：Asymmetric carrier aggregation）。
【００９２】
図４は、第１の実施形態が適用可能な移動通信システムの例を示す図である。図４は、第１の実施形態を説明する例として、１００ＭＨｚの帯域幅を持った下りリンクの通信に使用される周波数帯域が、それぞれ２０ＭＨｚの帯域幅を持った５つの下りリンクのキャリア要素（ＤＣＣ１、ＤＣＣ２、ＤＣＣ３、ＤＣＣ４、ＤＣＣ５）によって構成されていることを示している。また、１００ＭＨｚの帯域幅を持った上りリンクの通信に使用される周波数帯域が、それぞれ２０ＭＨｚの帯域幅を持った５つの上りリンクのキャリア要素（ＵＣＣ１、ＵＣＣ２、ＵＣＣ３、ＵＣＣ４、ＵＣＣ５）によって構成されていることを示している。図４において、下りリンク／上りリンクのキャリア要素のそれぞれには下りリンク／上りリンクのチャネルが配置される。ここで、図４において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。 
【００９３】
図４において、基地局装置は、下りリンクの１つのキャリア要素内に配置された複数のＰＤＣＣＨを使用して、複数のＰＤＳＣＨの割り当てることができる。図４では、例として、基地局装置が、ＤＣＣ３に配置された３つのＰＤＣＣＨ（それぞれ斜線、格子線、網線で示されるＰＤＣＣＨ）を使用して、ＤＣＣ１、ＤＣＣ２、ＤＣＣ４に配置されるＰＤＳＣＨを割り当てている（斜線で示されるＰＤＣＣＨでＤＣＣ１に配置されるＰＤＳＣＨを、格子線で示されるＰＤＣＣＨでＤＣＣ２に配置されるＰＤＳＣＨを、網線で示されるＰＤＣＣＨでＤＣＣ４に配置されるＰＤＳＣＨを割り当てている）ことを示している。基地局装置は、ＤＣＣ１、ＤＣＣ２、ＤＣＣ４に配置されたＰＤＳＣＨを使用して、（最大３つまでの）下りリンクトランスポートブロックを同一サブフレームで移動局装置へ送信することができる。
【００９４】
ここで、基地局装置が、下りリンクの１つのキャリア要素内に配置された複数のＰＤＣＣＨを使用して複数のＰＤＳＣＨの割り当てる方法としては、複数のＰＤＣＣＨそれぞれにキャリア要素指示（Component Carrier Indicator）を表す情報を含めて移動局装置へ送信することで明示的に割り当てる方法や、下りリンクの１つのキャリア要素内に複数のＰＤＣＣＨを配置する位置に応じて、複数のＰＤＳＣＨを割り当てる暗示的に割り当てる方法が使用される。
【００９５】
すなわち明示的な方法としては、基地局装置は、複数のＰＤＣＣＨそれぞれに、ＰＤＣＣＨがどのＰＤＳＣＨを割り当てているのかを示すキャリア要素指示を表す情報を含めて移動局装置に送信することができる。例えば、図４では、基地局装置は、斜線で示されるＰＤＣＣＨにＤＣＣ１のＰＤＳＣＨを割り当てていることを示すキャリア要素指示を表す情報を、格子線で示されるＰＤＣＣＨでＤＣＣ２のＰＤＳＣＨを割り当てていることを示すキャリア要素指示を表す情報を、網線で示されるＰＤＣＣＨでＤＣＣ４のＰＤＳＣＨを割り当てていることを示すキャリア要素指示を表す情報を含めて、移動局装置へ送信する。
【００９６】
また暗示的な方法としては、基地局装置は、ＰＤＣＣＨを下りリンクの１つのキャリア要素内に配置する際に、ＰＤＣＣＨが割り当てるＰＤＳＣＨに関連付けて配置し、移動局装置へ送信することができる。例えば、図４では、基地局装置は、斜線で示されるＰＤＣＣＨをＤＣＣ１のＰＤＳＣＨに関連付けて下りリンクの１つのキャリア要素内に配置し、格子線で示されるＰＤＣＣＨをＤＣＣ２のＰＤＳＣＨに関連付けて下りリンクの１つのキャリア要素内に配置し、網線で示されるＰＤＣＣＨをＤＣＣ４のＰＤＳＣＨに関連付けて下りリンクの１つのキャリア要素内に配置し、移動局装置へ送信する。例えば、移動局装置は、下りリンクの１つのキャリア要素内に配置されたＰＤＣＣＨを検出する順と、ＰＤＣＣＨが割り当てるＰＤＳＣＨを関連付け、移動局装置が、最初に検出するＰＤＣＣＨはＤＣＣ１のＰＤＳＣＨ、次に検出するＰＤＣＣＨはＤＣＣ２のＰＤＳＣＨ、その次に検出するＰＤＣＣＨはＤＣＣ３のＰＤＳＣＨ、その次に検出するＰＤＣＣＨはＤＣＣ４のＰＤＳＣＨ、その次に検出するＰＤＣＣＨはＤＣＣ５のＰＤＳＣＨを割り当てることができる。
【００９７】
移動局装置は、基地局装置からの複数のＰＤＣＣＨおよび／または複数の下りリンクトランスポートブロックに対するＨＡＲＱにおける制御信号を、複数のＰＤＣＣＨが配置された下りリンクの１つのキャリア要素に対応する上りリンクの１つのキャリア要素内でバンドリング、もしくは、多重して基地局装置へ送信することができる。図４では、例として、移動局装置が、基地局装置からＤＣＣ３を使用して送信された複数のＰＤＣＣＨおよび／またはＤＣＣ１、ＤＣＣ２、ＤＣＣ４のＰＤＳＣＨを使用して送信された下りリンクトランスポートブロックに対するＨＡＲＱにおける制御信号を、ＤＣＣ３に対応するＵＣＣ３内でバンドリング、もしくは、多重して、ＵＣＣ３のＰＵＣＣＨを使用して基地局装置へ送信していることを示している。
【００９８】
ここで、移動局装置が、ＨＡＲＱにおける制御信号をバンドリングして基地局装置へ送信するとは、複数のＰＤＣＣＨおよび／または複数の下りリンクトランスポートブロックそれぞれに対するＨＡＲＱにおける制御信号（制御情報）から、１つのＨＡＲＱにおける制御信号（制御情報）を算出（生成）し、算出した１つのＨＡＲＱにおける制御信号（制御情報）を基地局装置へ送信することである。例えば、移動局装置は、複数の下りリンクトランスポートブロックそれぞれに対するＨＡＲＱのＡＣＫ／ＮＡＣＫを示す制御信号（ＨＡＲＱにおける制御信号）の論理和を算出することによって、１つのＡＣＫ／ＮＡＣＫを示す制御信号（ＨＡＲＱにおける制御信号）として基地局装置へ送信することができる。すなわち、図４では、移動局装置は、基地局装置からＤＣＣ１、ＤＣＣ２、ＤＣＣ４のＰＤＳＣＨを使用して同一サブフレームで送信された下りリンクトランスポートブロックそれぞれに対するＨＡＲＱのＡＣＫ／ＮＡＣＫを示す制御信号（ＨＡＲＱにおける制御信号）の論理和を算出し、１つのＡＣＫ／ＮＡＣＫを示す制御信号（ＨＡＲＱにおける制御信号）として基地局装置へ送信する。
【００９９】
また、移動局装置が、ＨＡＲＱにおける制御信号を多重して基地局装置へ送信するとは、複数のＰＤＣＣＨおよび／または複数の下りリンクトランスポートブロックそれぞれに対するＨＡＲＱにおける制御信号（制御情報）から、すべての組み合わせを表現するのに必要な信号（情報）以下の複数の制御信号（制御情報）を用いて表現し、基地局装置へ送信することである。例えば、移動局装置は、複数の下りリンクトランスポートブロックそれぞれに対するＨＡＲＱのＡＣＫ／ＮＡＣＫを示す制御信号（ＨＡＲＱにおける制御信号）を、複数ビットを用いて表現し、基地局装置へ送信することができる。すなわち、図４では、移動局装置は、基地局装置からＤＣＣ１、ＤＣＣ２、ＤＣＣ４のＰＤＳＣＨを使用して同一サブフレームで送信された下りリンクトランスポートブロックそれぞれに対するＨＡＲＱのＡＣＫ／ＮＡＣＫを示す制御信号（ＨＡＲＱにおける制御信号）を、複数ビットを用いて表現し、基地局装置へ送信する。
【０１００】
ここで、移動局装置は、ＨＡＲＱにおける制御信号のバンドリング、もしくは、多重を、複数のＰＤＣＣＨが配置された下りリンクの１つのキャリア要素に対応する上りリンクの１つのキャリア要素内で行う。図４では、移動局装置は、ＨＡＲＱにおける制御信号のバンドリング、もしくは、多重を、複数のＰＤＣＣＨが配置されたＤＣＣ３に対応するＵＣＣ３内で行っていることを示している。
【０１０１】
基地局装置は、複数のＰＤＣＣＨが配置される下りリンクの１つのキャリア要素と、上りリンクの１つのキャリア要素の対応付けを、下りリンクのキャリア要素それぞれで報知する報知情報によって（報知チャネルを使用して）、セル固有に設定することができる。また、基地局装置は、複数のＰＤＣＣＨが配置される下りリンクの１つのキャリア要素と、上りリンクの１つのキャリア要素の対応付けを、移動局装置毎に送信する無線資源制御信号（以下、ＲＲＣシグナリング）によって、移動局装置固有に設定することができる。また、基地局装置は、複数のＰＤＣＣＨが配置される下りリンクの１つのキャリア要素を、報知チャネル、もしくは、ＲＲＣシグナリングを使用して、セル固有、もしくは、移動局装置固有に設定することができる。さらに、基地局装置は、移動局装置がＨＡＲＱにおける制御信号を送信する上りリンクの１つのキャリア要素を、報知チャネル、もしくは、ＲＲＣシグナリングを使用して、セル固有、もしくは、移動局装置固有に移動局装置に設定することができる。
【０１０２】
また、基地局装置は、下りリンクのキャリア要素それぞれで報知する報知情報によって（報知チャネルを使用して）、移動局装置がＨＡＲＱにおける制御信号を送信するためのＰＵＣＣＨのリソース（ＰＵＣＣＨリソース領域）を指示することができる。また、基地局装置は、移動局装置毎に送信するＲＲＣシグナリングによって、移動局装置がＨＡＲＱにおける制御信号を送信するためのＰＵＣＣＨのリソース（ＰＵＣＣＨリソース領域）を指示することができる。
【０１０３】
さらに、基地局装置は、下りリンクの１つのキャリア要素内に配置したＰＤＣＣＨのＰＤＣＣＨリソース（ＰＤＣＣＨリソース領域）における位置によって、移動局装置がＰＵＣＣＨリソース領域のどの領域にＨＡＲＱにおける制御信号を配置して送信するのか（ＰＵＣＣＨリソース領域内のどの領域を使用してＨＡＲＱにおける制御信号を送信するのか）を指定することができる。すなわち、移動局装置は、下りリンクの１つのキャリア要素に配置された複数のＰＤＣＣＨが、ＰＤＣＣＨリソース（ＰＤＣＣＨリソース領域）にどのように配置されているのかに応じて、報知チャネル、もしくは、ＲＲＣシグナリングで設定されたＰＵＣＣＨリソース領域内のＰＵＣＣＨに、ＨＡＲＱにおける制御信号を配置して基地局装置へ送信することができる。ここで、下りリンクの１つのキャリア要素に配置された複数のＰＤＣＣＨとそれぞれのＰＵＣＣＨの対応は、例えば、それぞれのＰＤＣＣＨを構成するＣＣＥの先頭のＣＣＥインデックスとそれぞれのＰＵＣＣＨのインデックスを対応付けることによって規定される。
【０１０４】
すなわち、図４では、基地局装置が、報知チャネル、もしくは、ＲＲＣシグナリングを使用して、複数のＰＤＣＣＨが配置される下りリンクの１つのキャリア要素（ＤＣＣ３）と、上りリンクの１つのキャリア要素（ＵＣＣ３）を対応させていることを示している。また、基地局装置が、報知チャネル、もしくは、ＲＲＣシグナリングを使用して、移動局装置がＨＡＲＱにおける制御信号を送信するための、ＵＣＣ３のＰＵＣＣＨリソース（ＰＵＣＣＨリソース領域）を指示していることを示している。さらに、移動局装置が、ＤＣＣ３に配置された複数のＰＤＣＣＨ（斜線、格子線、網線で示されるＰＤＣＣＨ）のＰＤＣＣＨリソース領域における位置に応じて、ＰＵＣＣＨリソース領域内のＰＵＣＣＨ（斜線、格子線、網線で示されるＰＵＣＣＨ）に、ＨＡＲＱにおける制御信号を配置して基地局装置へ送信していることを示している（図４では、例として、斜線で示されるＰＤＣＣＨを構成するＣＣＥの先頭のＣＣＥインデックスと斜線で示されるＰＵＣＣＨのインデックス、格子線で示されるＰＤＣＣＨを構成するＣＣＥの先頭のＣＣＥインデックスと格子線で示されるＰＵＣＣＨのインデックス、網線で示されるＰＤＣＣＨを構成するＣＣＥの先頭のＣＣＥインデックスと網線で示されるＰＵＣＣＨのインデックスが対応している）。
【０１０５】
ここで、移動局装置は、ＨＡＲＱにおける制御信号をバンドリングして基地局装置へ送信する場合、下りリンクの１つのキャリア要素内に配置された複数のＰＤＣＣＨ（複数のＰＤＣＣＨのＰＤＣＣＨリソース領域における位置）によって指定された複数のＰＵＣＣＨのいずれかのＰＵＣＣＨを使用して、例えば、１ビットの情報（例えば、ＡＣＫもしくはＮＡＣＫを示す情報）として基地局装置へ送信する（ＭＩＭＯ送信時には、２ビットの情報を送信する）。この際、移動局装置は、検出した複数のＰＤＣＣＨの位置およびＰＤＣＣＨの個数に応じて指定されるＰＵＣＣＨの配置可能な領域の中で、どのＰＵＣＣＨの領域を使用したかによって、さらに数ビットの情報を含めて基地局装置へ送信することができる。例えば、図４では、移動局装置は、下りリンクの１つのキャリア要素（ＤＣＣ３）に配置された３つのＰＤＣＣＨに対応した３つのＰＵＣＣＨの領域を使用し、さらに、それら３つのＰＵＣＣＨの領域の選択を行うことによって、合計６種類の情報を基地局装置へ送信することができる。ここで、図４に示すように、３つのＰＤＣＣＨに対応した３つのＰＵＣＣＨは、上りリンクの１つのキャリア要素（ＵＣＣ３）内に配置されており、移動局装置は、下りリンクの１つのキャリア要素（ＤＣＣ３）に対応する上りリンクの１つのキャリア要素（ＵＣＣ３）で、合計６種類の情報を基地局装置へ送信することができる。
【０１０６】
上述したように、移動局装置は、ＨＡＲＱにおける制御信号をバンドリングして、複数のＰＤＣＣＨに対応する複数のＰＵＣＣＨのいずれかのＰＵＣＣＨを使用して基地局装置へ送信する。この際、移動局装置は、下りリンクの１つのキャリア要素内に配置された複数のＰＤＣＣＨの中のある特定のＰＤＣＣＨに対応したＰＵＣＣＨを使用して、バンドリングしたＨＡＲＱにおける制御信号を基地局装置へ送信することができる。移動局装置が、バンドリングしたＨＡＲＱにおける制御信号を、ある特定のＰＤＣＣＨに対応したＰＵＣＣＨを使用して送信することで、基地局装置は、ＨＡＲＱにおける制御信号が配置されたＰＵＣＣＨ（移動局装置がＨＡＲＱにおける制御信号を配置したＰＵＣＣＨ）から、移動局装置が下りリンクの１つのキャリア要素に配置された複数のＰＤＣＣＨの中から、どのＰＤＣＣＨまで受信（検出）できたのかを検出することができる。
【０１０７】
例えば、移動局装置が、複数のＰＤＣＣＨの中で最後に検出したＰＤＣＣＨに対応したＰＵＣＣＨを使用してＨＡＲＱにおける制御信号を基地局装置へ送信することによって、基地局装置は、ＨＡＲＱにおける制御信号が配置されたＰＵＣＣＨから、移動局装置がどのＰＤＣＣＨまで受信（検出）できたのかを検出することができる。この際、移動局装置が複数のＰＤＣＣＨを検索する順序は規定される。
【０１０８】
例えば、図４において、移動局装置は、下りリンクの１つのキャリア要素（ＤＣＣ３）に配置された複数のＰＤＣＣＨ（斜線、格子線、網線で示されるＰＤＣＣＨ）をＣＣＥインデックスが増加する方向に検出し、最後に検出したＰＤＣＣＨに対応したＰＵＣＣＨを使用して、バンドリングしたＨＡＲＱにおける制御信号を基地局装置へ送信することができる。移動局装置が、ＣＣＥインデックスが増加する方向として、斜線で示されるＰＤＣＣＨ、格子線で示されるＰＤＣＣＨ、網線で示されるＰＤＣＣＨの順にＰＤＣＣＨを検出し、最後に検出した網線で示されるＰＤＣＣＨに対応した網線で示されるＰＵＣＣＨを使用して、バンドリングしたＨＡＲＱにおける制御信号を基地局装置へ送信することによって、基地局装置は、移動局装置が網線で示されるＰＤＣＣＨまで受信（検出）できたことを検出することができる（移動局装置が網線で示されるＰＵＣＣＨを使用してＨＡＲＱにおける制御信号を送信したことから、基地局装置は、移動局装置が網線で示されるＰＤＣＣＨまで受信（検出）できたことを検出することができる）。
【０１０９】
また、別の方法として、移動局装置が、下りリンクの１つのキャリア要素内で検出した複数のＰＤＣＣＨの中で特定のＣＣＥインデックスに対応したＰＵＣＣＨを使用してＨＡＲＱにおける制御信号を基地局装置へ送信することによって、基地局装置は、ＨＡＲＱにおける制御信号が配置されたＰＵＣＣＨ（移動局装置がＨＡＲＱにおける制御信号を配置したＰＵＣＣＨ）から、移動局装置がどのＰＤＣＣＨまで受信（検出）できたのかを検出することができる。
【０１１０】
例えば、図４において、移動局装置は、下りリンクの１つのキャリア要素（ＤＣＣ３）に配置された複数のＰＤＣＣＨ（斜線、格子線、網線で示されるＰＤＣＣＨ）を任意の順番で検出し、検出したＰＤＣＣＨを構成するＣＣＥの中で最も大きい（もしくは最も小さい）ＣＣＥインデックスを持つＰＤＣＣＨに対応したＰＵＣＣＨを使用して、バンドリングしたＨＡＲＱにおける制御信号を基地局装置へ送信する。すなわち、移動局装置は、斜線で示されるＰＤＣＣＨ、格子線で示されるＰＤＣＣＨ、網線で示されるＰＤＣＣＨを任意の順番で検出し、網線で示されるＰＤＣＣＨを構成するＣＣＥインデックスが最も大きい（もしくは最も小さい）場合、網線で示されるＰＵＣＣＨを使用して、ＨＡＲＱにおける制御信号を基地局装置へ送信する。基地局装置は、移動局装置が網線で示されるＰＵＣＣＨを使用してＨＡＲＱにおける制御信号を送信したことから、移動局装置が網線で示されるＰＤＣＣＨまで受信（検出）できたことを検出することができる。
【０１１１】
さらに、別の方法として、移動局装置が、複数のＰＤＣＣＨに対応した、上りリンクの１つのキャリア要素に配置された複数のＰＵＣＣＨの中から特定のＰＵＣＣＨを使用してＨＡＲＱにおける制御信号を基地局装置へ送信することによって、基地局装置は、移動局装置がどのＰＤＣＣＨまで受信（検出）できたのかを検出することができる。
【０１１２】
例えば、図４において、移動局装置は、上りリンクの１つのキャリア要素に配置された複数のＰＵＣＣＨ（斜線、格子線、網線で示されるＰＵＣＣＨ）の中からインデックスが最も大きい（もしくは最も小さい）網線で示されるＰＵＣＣＨを使用して、ＨＡＲＱにおける制御信号を基地局装置へ送信する。基地局装置は、移動局装置が網線で示されるＰＵＣＣＨを使用してＨＡＲＱにおける制御信号を送信したことから、移動局装置が網線で示されるＰＤＣＣＨまで受信（検出）できたことを検出することができる。
【０１１３】
移動局装置が、バンドルしたＨＡＲＱにおける制御信号を、上述のように送信することによって、基地局装置と移動局装置は、ＨＡＲＱにおける制御信号および／または移動局装置がどのＰＤＣＣＨまで受信（検出）できたのかを示す、例えば、（ＡＣＫ、斜線のＰＤＣＣＨまで受信）、（ＮＡＣＫ、斜線のＰＤＣＣＨまで受信）、（ＡＣＫ、格子線のＰＤＣＣＨまで受信）、（ＮＡＣＫ、格子線のＰＤＣＣＨまで受信）、（ＡＣＫ、網線のＰＤＣＣＨまで受信）、（ＮＡＣＫ、網線のＰＤＣＣＨまで受信）のような信号（情報）を送受信することができる。ここで、移動局装置は、複数のＰＤＣＣＨのうち少なくとも１つのＰＤＣＣＨに対してＤＴＸを検出した際には、基地局装置に対してＮＡＣＫを示す信号を送信することができる。
【０１１４】
また、移動局装置は、ＨＡＲＱにおける制御信号を多重して基地局装置へ送信する場合、予め設定されたフォーマットに応じて、１つのＰＵＣＣＨで、例えば、１ビットまたは２ビットの情報を基地局装置へ送信することができる。この際、移動局装置は、検出した複数のＰＤＣＣＨの位置およびＰＤＣＣＨの個数に応じて指定されるＰＵＣＣＨの配置可能な領域の中で、どのＰＵＣＣＨの領域を使用したかによって、さらに数ビットの情報を含めて基地局装置へ送信することができる。例えば、図４では、移動局装置は、下りリンクの１つのキャリア要素（ＤＣＣ３）に配置された３つのＰＤＣＣＨに対応した３つのＰＵＣＣＨそれぞれで２ビットの情報を送信することが可能な場合、さらに、それら３つのＰＵＣＣＨの選択を行うことによって、合計１２種類の情報を基地局装置へ送信することができる。ここで、図４に示すように、３つのＰＤＣＣＨに対応した３つのＰＵＣＣＨは、上りリンクの１つのキャリア要素（ＵＣＣ３）内に配置されており、移動局装置は、下りリンクの１つのキャリア要素（ＤＣＣ３）に対応する上りリンクの１つのキャリア要素（ＵＣＣ３）で、合計１２種類の情報を基地局装置へ送信することができる。
【０１１５】
移動局装置が、多重したＨＡＲＱにおける制御信号を、上述のように送信することによって、基地局装置と移動局装置は、ＨＡＲＱにおける制御信号として、例えば、（ＡＣＫ、ＡＣＫ、ＡＣＫ）、（ＡＣＫ、ＡＣＫ、ＮＡＣＫ）、（ＡＣＫ、ＡＣＫ、ＤＴＸ）、（ＡＣＫ、ＮＡＣＫ、ＡＣＫ）、（ＡＣＫ、ＮＡＣＫ、ＮＡＣＫ）、（ＡＣＫ、ＮＡＣＫ、ＤＴＸ）、（ＮＡＣＫ、ＮＡＣＫ、ＡＣＫ）、（ＮＡＣＫ、ＮＡＣＫ、ＮＡＣＫ）、（ＮＡＣＫ、ＮＡＣＫ、ＤＴＸ）、（ＡＣＫ、ＤＴＸ、ＡＣＫ）、（ＡＣＫ、ＤＴＸ、ＮＡＣＫ）、（ＡＣＫ、ＤＴＸ、ＤＴＸ）のように予めマッピングした信号（情報）を送受信することができる。ここで、移動局装置は、複数のＰＵＣＣＨを利用して送信できる情報量よりも、ＡＣＫ／ＮＡＣＫ／ＤＴＸの組み合わせが大きくなる場合には（例えば、複数のＰＵＣＣＨを利用して送信できる情報量が１２種類に対して、ＡＣＫ／ＮＡＣＫ／ＤＴＸを組み合わせると２７種類の情報量になるような場合には）、ＮＡＣＫとＤＴＸを組み合わせて送信することができる。（例えば、基地局装置と移動局装置が、（ＡＣＫ、ＡＣＫ、ＮＡＣＫ／ＤＴＸ）のような信号を送受信することができる）。
【０１１６】
図５は、第１の実施形態が適用可能な移動通信システムの別の例を示す図である。図５は、第１の実施形態を説明する例として、１００ＭＨｚの帯域幅を持った下りリンクの通信に使用される周波数帯域が、それぞれ２０ＭＨｚの帯域幅を持った５つの下りリンクのキャリア要素（ＤＣＣ１、ＤＣＣ２、ＤＣＣ３、ＤＣＣ４、ＤＣＣ５）によって構成されていることを示している。また、４０ＭＨｚの帯域幅を持った上りリンクの通信に使用される周波数帯域が、それぞれ２０ＭＨｚの帯域幅を持った２つの上りリンクのキャリア要素（ＵＣＣ１、ＵＣＣ２）によって構成されていることを示している。図５において、下りリンク／上りリンクのキャリア要素のそれぞれには下りリンク／上りリンクのチャネルが配置される。ここで、図５において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。
【０１１７】
図５において、基地局装置は、下りリンクの１つのキャリア要素内に配置された複数のＰＤＣＣＨを使用して、複数のＰＤＳＣＨの割り当てることができる。図５では、例として、基地局装置が、ＤＣＣ３に配置された３つのＰＤＣＣＨ（それぞれ斜線、格子線、網線で示されるＰＤＣＣＨ）を使用して、ＤＣＣ１、ＤＣＣ２、ＤＣＣ４に配置されるＰＤＳＣＨを割り当てていることを示している。基地局装置は、ＤＣＣ１、ＤＣＣ２、ＤＣＣ４に配置されたＰＤＳＣＨを使用して、（最大３つまでの）下りリンクトランスポートブロックを同一サブフレームで移動局装置へ送信することができる。基地局装置が、下りリンクの１つのキャリア要素内に配置された複数のＰＤＣＣＨを使用して複数のＰＤＳＣＨを割り当てる方法は、上述したような明示的な割り当て方法、もしくは、暗示的な割り当て方法を使用することができる。
【０１１８】
移動局装置は、複数のＰＤＣＣＨおよび／または複数の下りリンクトランスポートブロックに対するＨＡＲＱにおける制御信号を、複数のＰＤＣＣＨが配置された下りリンクの１つのキャリア要素に対応する上りリンクの１つのキャリア要素内でバンドリング、もしくは、多重して基地局装置へ送信することができる。移動局装置が、ＨＡＲＱにおける制御信号をバンドリング、もしくは、多重して基地局装置へ送信する方法は、上述したような方法を使用することができる。図５では、例として、移動局装置が、基地局装置からＤＣＣ３を使用して送信された複数のＰＤＣＣＨおよび／またはＤＣＣ１、ＤＣＣ２、ＤＣＣ４のＰＤＳＣＨを使用して送信された下りリンクトランスポートブロックに対するＨＡＲＱにおける制御信号を、ＤＣＣ３に対応するＵＣＣ１内でバンドリング、もしくは、多重して、ＵＣＣ１のＰＵＣＣＨを使用して基地局装置へ送信していることを示している。
【０１１９】
上述したように、基地局装置は、複数のＰＤＣＣＨが配置される下りリンクの１つのキャリア要素と、上りリンクの１つのキャリア要素の対応付けを報知チャネル、もしくは、ＲＲＣシグナリングを使用して、セル固有、もしくは、移動局装置固有に設定することができる。図５において、基地局装置は、報知チャネル、もしくは、ＲＲＣシグナリングを使用して、ＤＣＣ３とＵＣＣ１の対応付けを、移動局装置に対して設定していることを示している。また、基地局装置は、複数のＰＤＣＣＨが配置される下りリンクの１つのキャリア要素を、報知チャネル、もしくは、ＲＲＣシグナリングを使用して、セル固有、もしくは、移動局装置固有に設定することができる。さらに、基地局装置は、移動局装置がＨＡＲＱにおける制御信号を送信する上りリンクの１つのキャリア要素を、報知チャネル、もしくは、ＲＲＣシグナリングを使用して、セル固有、もしくは、移動局装置固有に設定することができる。
【０１２０】
上記までに示した通り、第１の実施形態では、基地局装置は、下りリンクの１つのキャリア要素内に配置された複数のＰＤＣＣＨを使用して複数のＰＤＳＣＨを割り当て、割り当てた複数のＰＤＳＣＨを使用して複数の下りリンクトランスポートブロックを同一サブフレームで移動局装置へ送信する。移動局装置は、複数のＰＤＣＣＨおよび／または複数の下りリンクトランスポートブロックに対するＨＡＲＱにおける制御信号を、複数のＰＤＣＣＨが配置された下りリンクの１つのキャリア要素に対応する上りリンクの１つのキャリア要素内でバンドリング、もしくは、多重して、基地局装置へ送信する。基地局装置は、複数のＰＤＣＣＨが配置された下りリンクの１つのキャリア要素に対応する上りリンクの１つのキャリア要素内でバンドリング、もしくは、多重されたＨＡＲＱにおける制御信号を、移動局装置から受信する。
【０１２１】
基地局装置と移動局装置が、このようにＨＡＲＱにおける制御信号を送受信することによって、移動局装置は、複数のＰＤＣＣＨが配置された下りリンクの１つのキャリア要素に対応する上りリンクの１つのキャリア要素内でＨＡＲＱにおける制御信号を送信することができ、ＨＡＲＱにおける制御信号を送信する際の送信電力を低く抑えることが可能となる。また、基地局装置は、下りリンクの１つのキャリア要素内に配置した複数のＰＤＣＣＨそれぞれのＰＤＣＣＨリソース領域における位置によって、移動局装置がＨＡＲＱにおける制御信号を配置するＰＵＣＣＨのリソースを指定することができ、効率的な割り当てを行うことが可能となる。さらに、移動局装置が、ＨＡＲＱにおける制御信号をバンドリングして基地局装置へ送信する際に、ある特定のＰＵＣＣＨを使用してＨＡＲＱの制御信号を基地局装置へ送信することによって、基地局装置は、移動局装置がどのＰＤＣＣＨまでを受信（検出）できたのかを検出することが可能となる。
【０１２２】
（第２の実施形態）
次に、本発明の第２の実施形態について説明する。第２の実施形態では、基地局装置は、下りリンクの１つもしくは複数のキャリア要素内に配置された複数の物理下りリンク制御チャネルを使用して、複数のＰＤＣＣＨが配置されたキャリア要素、もしくは、複数のＰＤＣＣＨが配置されたキャリア要素とは異なるキャリア要素に配置されるＰＤＳＣＨを割り当て、割り当てた複数のＰＤＳＣＨを使用して複数の下りリンクトランスポートブロックを同一サブフレームで移動局装置へ送信する。移動局装置は、複数の物理下りリンク制御チャネルおよび／または複数の下りリンクトランスポートブロックに対するＨＡＲＱにおける制御信号を、複数のＰＤＣＣＨが配置された下りリンクのキャリア要素毎にバンドリング、もしくは、多重して基地局装置へ送信する。基地局装置は、複数のＰＤＣＣＨが配置された下りリンクのキャリア要素毎にバンドリング、もしくは、多重されたＨＡＲＱにおける制御信号を、移動局装置から受信する。
【０１２３】
ここで、移動局装置が基地局装置へ送信するＨＡＲＱにおける制御信号（制御情報）とは、ＰＤＣＣＨおよび／または下りリンクトランスポートブロックに対するＡＣＫ／ＮＡＣＫを示す信号（情報）および／またはＤＴＸを示す信号（情報）のことである。ＤＴＸとは、移動局装置が基地局装置からのＰＤＣＣＨを検出できなかったことを示す信号（情報）である。また、移動局装置が、ＨＡＲＱにおける制御信号をバンドリング、もしくは、多重して基地局装置へ送信する方法は、第１の実施形態で説明した方法と同様の方法が使用できる。
【０１２４】
図６は、第２の実施形態が適用可能な移動通信システムの例を示す図である。図６は、第２の実施形態を説明する例として、１００ＭＨｚの帯域幅を持った下りリンクの通信に使用される周波数帯域が、それぞれ２０ＭＨｚの帯域幅を持った５つの下りリンクのキャリア要素（ＤＣＣ１、ＤＣＣ２、ＤＣＣ３、ＤＣＣ４、ＤＣＣ５）によって構成されていることを示している。また、１００ＭＨｚの帯域幅を持った上りリンクの通信に使用される周波数帯域が、それぞれ２０ＭＨｚの帯域幅を持った５つの上りリンクのキャリア要素（ＵＣＣ１、ＵＣＣ２、ＵＣＣ３、ＵＣＣ４、ＵＣＣ５）によって構成されていることを示している。図６において、下りリンク／上りリンクのキャリア要素のそれぞれには下りリンク／上りリンクのチャネルが配置される。ここで、図６において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。 
【０１２５】
図６において、基地局装置は、下りリンクの１つ、もしくは、複数のキャリア要素内に配置された複数のＰＤＣＣＨを使用して、複数のＰＤＳＣＨの割り当てることができる。図６では、例として、基地局装置が、ＤＣＣ２に配置された３つのＰＤＣＣＨ（それぞれ斜線、格子線、網線で示されるＰＤＣＣＨ）を使用して、ＤＣＣ１、ＤＣＣ２、ＤＣＣ３に配置されるＰＤＳＣＨを割り当てている（斜線で示されるＰＤＣＣＨでＤＣＣ１に配置されるＰＤＳＣＨを、格子線で示されるＰＤＣＣＨでＤＣＣ２に配置されるＰＤＳＣＨを、網線で示されるＰＤＣＣＨでＤＣＣ３に配置されるＰＤＳＣＨを割り当てている）ことを示している。また、基地局装置が、ＤＣＣ４に配置された２つのＰＤＣＣＨ（それぞれ横線、点模様で示されるＰＤＣＣＨ）を使用して、ＤＣＣ４、ＤＣＣ５に配置されるＰＤＳＣＨを割り当てている（横線で示されるＰＤＣＣＨでＤＣＣ４に配置されるＰＤＳＣＨを、点模様で示されるＰＤＣＣＨでＤＣＣ５に配置されるＰＤＳＣＨを割り当てている）ことを示している。基地局装置は、ＤＣＣ１、ＤＣＣ２、ＤＣＣ３、ＤＣＣ４、ＤＣＣ５に配置されたＰＤＳＣＨを使用して、（最大５つまでの）下りリンクトランスポートブロックを同一サブフレームで移動局装置へ送信することができる。基地局装置が、下りリンクの１つ、もしくは、複数のキャリア要素内に配置された複数のＰＤＣＣＨを使用して複数のＰＤＳＣＨを割り当てる方法は、第１の実施形態で説明したような明示的な割り当て方法、もしくは、暗示的な割り当て方法を使用することができる。
【０１２６】
移動局装置は、基地局装置からの複数のＰＤＣＣＨおよび／または複数の下りリンクトランスポートブロックに対するＨＡＲＱにおける制御信号を、複数のＰＤＣＣＨが配置された下りリンクのキャリア要素毎にバンドリング、もしくは、多重して基地局装置へ送信することができる。図６では、例として、移動局装置が、基地局装置からＤＣＣ２を使用して送信された複数のＰＤＣＣＨおよび／またはＤＣＣ１、ＤＣＣ２、ＤＣＣ３のＰＤＳＣＨを使用して送信された下りリンクトランスポートブロックに対するＨＡＲＱにおける制御信号を、ＤＣＣ２に対応するＵＣＣ２内でバンドリング、もしくは、多重して、ＵＣＣ２のＰＵＣＣＨを使用して基地局装置へ送信していることを示している。また、移動局装置は、基地局装置からＤＣＣ４を使用して送信された複数のＰＤＣＣＨおよび／またはＤＣＣ４、ＤＣＣ５のＰＤＳＣＨを使用して送信された下りリンクトランスポートブロックに対するＨＡＲＱにおける制御信号を、ＤＣＣ４に対応するＵＣＣ４内でバンドリング、もしくは、多重して、ＵＣＣ４のＰＵＣＣＨを使用して基地局装置へ送信していることを示している。ここで、ＵＣＣ２内でバンドリング、もしくは、多重されたＨＡＲＱにおける制御信号の送信と、ＵＣＣ４内でバンドリング、もしくは、多重されたＨＡＲＱにおける制御信号の送信は、同一サブフレームで行われる。
【０１２７】
例えば、図６において、移動局装置は、基地局装置からＤＣＣ１、ＤＣＣ２、ＤＣＣ３のＰＤＳＣＨを使用して送信された下りリンクトランスポートブロックそれぞれに対するＨＡＲＱのＡＣＫ／ＮＡＣＫを示す制御信号（ＨＡＲＱにおける制御信号）から論理和を算出し、また、ＤＣＣ４、ＤＣＣ５のＰＤＳＣＨを使用して送信された下りリンクトランスポートブロックそれぞれに対するＨＡＲＱのＡＣＫ／ＮＡＣＫを示す制御信号（ＨＡＲＱにおける制御信号）から論理和を算出し、算出したＡＣＫ／ＮＡＣＫを示す制御信号（ＨＡＲＱにおける制御信号）それぞれを、ＵＣＣ２、ＵＣＣ４のＰＵＣＣＨを使用して同一サブフレームで基地局装置へ送信することができる。
【０１２８】
また、例えば、移動局装置は、基地局装置からＤＣＣ１、ＤＣＣ２、ＤＣＣ３のＰＤＳＣＨを使用して送信された下りリンクトランスポートブロックそれぞれに対するＨＡＲＱのＡＣＫ／ＮＡＣＫを示す制御信号（ＨＡＲＱにおける制御信号）を、複数ビットを用いて表現し、また、ＤＣＣ４、ＤＣＣ５のＰＤＳＣＨを使用して送信された下りリンクトランスポートブロックそれぞれに対するＨＡＲＱのＡＣＫ／ＮＡＣＫを示す制御信号（ＨＡＲＱにおける制御信号）を、複数ビットを用いて表現し、制御信号（ＨＡＲＱにおける制御信号）それぞれを、ＵＣＣ２、ＵＣＣ４のＰＵＣＣＨを使用して同一サブフレームで基地局装置へ送信することができる。
【０１２９】
ここで、基地局装置は、複数のＰＤＣＣＨが配置される下りリンクの１つ、もしくは、複数のキャリア要素と、上りリンクの１つ、もしくは、複数のキャリア要素の対応付けを報知チャネル、もしくは、ＲＲＣシグナリングを使用して、セル固有、もしくは、移動局装置固有に設定することができる。すなわち、図６において、基地局装置は、報知チャネル、もしくは、ＲＲＣシグナリングを使用して、ＤＣＣ２とＵＣＣ２の対応付け、および、ＤＣＣ４とＵＣＣ４の対応付けを、移動局装置に対して設定していることを示している。また、基地局装置は、複数のＰＤＣＣＨが配置される下りリンクの１つ、もしくは、複数のキャリア要素を、報知チャネル、もしくは、ＲＲＣシグナリングを使用して、セル固有、もしくは、移動局装置固有に設定することができる。さらに、基地局装置は、移動局装置がＨＡＲＱにおける制御信号を送信する上りリンクの１つ、もしくは、複数のキャリア要素を、報知チャネル、もしくは、ＲＲＣシグナリングを使用して、セル固有、もしくは、移動局装置固有に設定することができる。
【０１３０】
これにより、基地局装置は、管理するセル内の状況や各移動局装置の状況に応じて、複数のＰＤＣＣＨを配置する下りリンクのキャリア要素（数）を変更することが可能となり、移動局装置がＨＡＲＱにおける制御信号を基地局装置へ送信する際の送信電力を、より柔軟に考慮した制御を行うことが可能となる。例えば、基地局装置は、送信電力に余裕のある移動局装置に対して、下りリンクの複数のキャリア要素に複数のＰＤＣＣＨを配置して、複数のＰＤＳＣＨの割り当てを行う。送信電力に余裕のある移動局装置は、ＨＡＲＱにおける制御信号を、複数のＰＤＣＣＨが配置された下りリンクのキャリア要素毎にバンドリング、もしくは、多重して基地局装置へ送信する（下りリンクの複数のキャリア要素に対応した上りリンクの複数のキャリア要素を使用してＨＡＲＱのＡＣＫ／ＮＡＣＫを示す情報を基地局装置へ送信する）。一方、基地局装置は、送信電力に余裕のない移動局装置に対して、下りリンクの１つのキャリア要素に複数のＰＤＣＣＨを配置して、複数のＰＤＳＣＨの割り当てを行う。送信電力に余裕のない移動局装置は、ＨＡＲＱにおける制御信号報を、下りリンクの１つのキャリア要素に対応した上りリンクの１つのキャリア要素を使用して送信することになる。このように基地局装置が、管理するセル内の状況や各移動局装置の状況に応じて、複数のＰＤＣＣＨを配置する下りリンクのキャリア要素（数）を変更し、移動局装置がＨＡＲＱにおける制御信号を送信する上りリンクのキャリア要素（数）を、基地局装置が制御することによって、より柔軟な送信制御を行うことが可能となる。
【０１３１】
ここで、移動局装置は、ＨＡＲＱにおける制御信号をバンドリングして基地局装置へ送信する際、複数のＰＤＣＣＨに対応する複数のＰＵＣＣＨのいずれかのＰＵＣＣＨを使用して基地局装置へ送信する。この際、第１の実施形態で説明した送信方法と同様に、移動局装置は、下りリンクの１つ、もしくは、複数のキャリア要素それぞれに配置された複数のＰＤＣＣＨの中のある特定のＰＤＣＣＨに対応したＰＵＣＣＨを使用して、バンドリングしたＨＡＲＱにおける制御信号を基地局装置へ送信することができる。また、移動局装置は、下りリンクの１つ、もしくは、複数のキャリア要素それぞれで検出した複数のＰＤＣＣＨの中で特定のＣＣＥインデックスに対応したＰＵＣＣＨを使用してＨＡＲＱにおける制御信号を基地局装置へ送信しても良い。さらに、移動局装置は、下りリンクの１つ、もしくは、複数のキャリア要素それぞれに配置された複数のＰＤＣＣＨに対応した、上りリンクの１つ、もしくは、複数のキャリア要素それぞれに配置された複数のＰＵＣＣＨの中から特定のＰＵＣＣＨを使用してＨＡＲＱにおける制御信号を基地局装置へ送信しても良い。
【０１３２】
図７は、第２の実施形態が適用可能な移動通信システムの別の例を示す図である。図７は、第２の実施形態を説明する例として、１００ＭＨｚの帯域幅を持った下りリンクの通信に使用される周波数帯域が、それぞれ２０ＭＨｚの帯域幅を持った５つの下りリンクのキャリア要素（ＤＣＣ１、ＤＣＣ２、ＤＣＣ３、ＤＣＣ４、ＤＣＣ５）によって構成されていることを示している。また、４０ＭＨｚの帯域幅を持った上りリンクの通信に使用される周波数帯域が、それぞれ２０ＭＨｚの帯域幅を持った２つの上りリンクのキャリア要素（ＵＣＣ１、ＵＣＣ２）によって構成されていることを示している。図７において、下りリンク／上りリンクのキャリア要素のそれぞれには下りリンク／上りリンクのチャネルが配置される。ここで、図７において、ＰＤＣＣＨ、ＰＤＳＣＨ、ＰＵＣＣＨ、ＰＵＳＣＨ等の下りリンク／上りリンクのチャネルのいずれかが配置されない下りリンク／上りリンクのキャリア要素が存在してもよい。
【０１３３】
図７において、基地局装置は、下りリンクの１つ、もしくは、複数のキャリア要素内に配置された複数のＰＤＣＣＨを使用して、複数のＰＤＳＣＨの割り当てを行う。図７では、例として、基地局装置が、ＤＣＣ２に配置された３つのＰＤＣＣＨ（それぞれ斜線、格子線、網線で示されるＰＤＣＣＨ）を使用して、ＤＣＣ１、ＤＣＣ２、ＤＣＣ３に配置されるＰＤＳＣＨを割り当てていることを示している。また、ＤＣＣ４に配置された２つのＰＤＣＣＨ（それぞれ横線、点模様で示されるＰＤＣＣＨ）を使用して、ＤＣＣ４、ＤＣＣ５に配置されるＰＤＳＣＨを割り当てていることを示している。基地局装置は、ＤＣＣ１、ＤＣＣ２、ＤＣＣ３、ＤＣＣ４、ＤＣＣ５に配置されたＰＤＳＣＨを使用して、（最大５つまでの）下りリンクトランスポートブロックを同一サブフレームで移動局装置へ送信することができる。基地局装置が、下りリンクの１つ、もしくは、複数のキャリア要素内に配置された複数のＰＤＣＣＨを使用して複数のＰＤＳＣＨを割り当てる方法は、第１の実施形態で説明したような明示的な割り当て方法、もしくは、暗示的な割り当て方法を使用することができる。
【０１３４】
移動局装置は、基地局装置からの複数のＰＤＣＣＨおよび／または複数の下りリンクトランスポートブロックに対するＨＡＲＱにおける制御信号を、複数のＰＤＣＣＨが配置された下りリンクのキャリア要素毎にバンドリング、もしくは、多重して基地局装置へ送信する。図７では、例として、移動局装置が、基地局装置から、ＤＣＣ２を使用して送信された複数のＰＤＣＣＨおよび／またはＤＣＣ１、ＤＣＣ２、ＤＣＣ３のＰＤＳＣＨを使用して送信された下りリンクトランスポートブロックに対するＨＡＲＱにおける制御信号を、ＤＣＣ２に対応するＵＣＣ１内でバンドリング、もしくは、多重して、ＵＣＣ１のＰＵＣＣＨを使用して基地局装置へ送信していることを示している。また、移動局装置が、基地局装置から、ＤＣＣ４を使用して送信された複数のＰＤＣＣＨおよび／またはＤＣＣ４、ＤＣＣ５のＰＤＳＣＨを使用して送信された下りリンクトランスポートブロックに対するＨＡＲＱにおける制御信号を、ＤＣＣ４に対応するＵＣＣ２内でバンドリング、もしくは、多重して、ＵＣＣ２のＰＵＣＣＨを使用して基地局装置へ送信していることを示している。ここで、ＵＣＣ１内でバンドリング、もしくは、多重されたＨＡＲＱにおける制御信号の送信と、ＵＣＣ２内でバンドリング、もしくは、多重されたＨＡＲＱにおける制御信号の送信は、同一サブフレームで行われる。
【０１３５】
上述したように、基地局装置は、複数のＰＤＣＣＨが配置される下りリンクの１つ、もしくは、複数のキャリア要素と、上りリンクの１つ、もしくは、複数のキャリア要素の対応付けを報知チャネル、もしくは、ＲＲＣシグナリングを使用して、セル固有、もしくは、移動局装置固有に設定することができる。すなわち、図７において、基地局装置は、報知チャネル、もしくは、ＲＲＣシグナリングを使用して、ＤＣＣ２とＵＣＣ１の対応付け、および、ＤＣＣ４とＵＣＣ２の対応付けを、移動局装置に対して設定していることを示している。また、基地局装置は、複数のＰＤＣＣＨが配置される下りリンクの１つ、もしくは、複数のキャリア要素を、報知チャネル、もしくは、ＲＲＣシグナリングを使用して、セル固有、もしくは、移動局装置固有に設定することができる。さらに、基地局装置は、移動局装置がＨＡＲＱにおける制御信号を送信する上りリンクの１つ、もしくは、複数のキャリア要素を、報知チャネル、もしくは、ＲＲＣシグナリングを使用して、セル固有、もしくは、移動局装置固有に設定することができる。
【０１３６】
図８は、第２の実施形態が適用可能な移動通信システムの別の例を示す図である。図８では、移動局装置が、基地局装置からの複数のＰＤＣＣＨおよび／または複数の下りリンクトランスポートブロックに対するＨＡＲＱにおける制御信号を、複数のＰＤＣＣＨが配置された下りリンクのキャリア要素毎にバンドリング、もしくは、多重して、上りリンクの１つのキャリア要素内に配置されたＰＵＣＣＨを使用して基地局装置へ送信しており、それ以外の点は、図７で説明した移動通信システムと同様である。
【０１３７】
すなわち、図８において、基地局装置は、報知チャネル、もしくは、ＲＲＣシグナリングを使用して、ＤＣＣ２とＵＣＣ１を対応させ、さらに、ＤＣＣ４とＵＣＣ１を対応させている。
【０１３８】
移動局装置は、ＨＡＲＱにおける制御信号を、複数のＰＤＣＣＨが配置された下りリンクのキャリア要素毎にバンドリング、もしくは、多重し、それぞれを下りリンクの複数のキャリア要素に対応する上りリンクの１つのキャリア要素内に配置されたＰＵＣＣＨを使用して基地局装置へ送信する。すなわち、図８において、移動局装置は、ＤＣＣ２で送信された複数のＰＤＣＣＨおよび／またはＤＣＣ１、ＤＣＣ２、ＤＣＣ３のＰＤＳＣＨを使用して送信された下りリンクトランスポートブロックに対するＨＡＲＱにおける制御信号をＵＣＣ１内でバンドリング、もしくは、多重し、ＵＣＣ１のＰＵＣＣＨを使用して基地局装置へ送信する。さらに、移動局装置は、ＤＣＣ４で送信された複数のＰＤＣＣＨおよび／またはＤＣＣ４、ＤＣＣ５のＰＤＳＣＨを使用して送信された下りリンクトランスポートブロックに対するＨＡＲＱにおける制御信号をＵＣＣ１内でバンドリング、もしくは、多重し、ＵＣＣ１のＰＵＣＣＨを使用して基地局装置へ送信する。移動局装置は、バンドリング、もしくは、多重した、ＨＡＲＱにおける制御信号それぞれを、同一サブフレームで基地局装置へ送信する。
【０１３９】
上記までに示した通り、第２の実施形態では、基地局装置は、下りリンクの１つ、もしくは、複数のキャリア要素内に配置された複数のＰＤＣＣＨを使用して複数のＰＤＳＣＨを割り当て、割り当てた複数のＰＤＳＣＨを使用して複数の下りリンクトランスポートブロックを同一サブフレームで移動局装置へ送信する。移動局装置は、複数のＰＤＣＣＨおよび／または複数の下りリンクトランスポートブロックに対するＨＡＲＱにおける制御信号を、複数のＰＤＣＣＨが配置された下りリンクのキャリア要素毎にバンドリング、もしくは、多重して基地局装置へ送信する。基地局装置は、下りリンクのキャリア要素毎にバンドリング、もしくは、多重されたＨＡＲＱにおける制御信号を、移動局装置から受信する。基地局装置と移動局装置が、このようにＨＡＲＱにおける制御信号を送受信することによって、移動局装置は、複数のＰＤＣＣＨが配置された下りリンクのキャリア要素毎にＨＡＲＱにおける制御信号を送信することができ、移動局装置がＨＡＲＱにおける制御信号を基地局装置へ送信する際の送信電力を、より柔軟に制御することが可能となる。また、基地局装置は、下りリンクの１つ、もしくは、複数のキャリア要素内に配置した複数のＰＤＣＣＨのＰＤＣＣＨリソース領域における位置によって、移動局装置がＨＡＲＱにおける制御信号を配置するＰＵＣＣＨのリソースを指定することができ、効率的な割り当てを行うことが可能となる。さらに、移動局装置が、ＨＡＲＱにおける制御信号をバンドリングして基地局装置へ送信する際に、ある特定のＰＵＣＣＨを使用してＨＡＲＱの制御信号を基地局装置へ送信することによって、基地局装置は、移動局装置がどのＰＤＣＣＨまでを受信（検出）できたのかを検出することが可能となる。
【０１４０】
以上説明した実施形態は、基地局装置および移動局装置に搭載される集積回路／チップセットにも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１４１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１４２】
以上、この発明の実施形態について図面を参照して詳述してきたが、具体的な構成はこの実施形態に限られるものではなく、この発明の要旨を逸脱しない範囲の設計等も特許請求の範囲に含まれる。
【０１４３】
上述のとおり、本発明は、以下のような手段を講じることが可能である。すなわち、本発明の移動通信システムは、基地局装置と移動局装置から構成される移動通信システムであって、前記基地局装置は、下りリンクの１つのキャリア要素内に配置された複数の物理下りリンク制御チャネルを使用して前記キャリア要素もしくは前記キャリア要素とは異なるキャリア要素に配置される複数の物理下りリンク共用チャネルを割り当て、前記割り当てた複数の物理下りリンク共用チャネルを使用して複数の下りリンクトランスポートブロックを同一サブフレームで前記移動局装置へ送信し、前記移動局装置は、前記複数の物理下りリンク制御チャネルおよび／または前記複数の下りリンクトランスポートブロックに対するＨＡＲＱ（ハイブリッド自動再送要求）における制御信号を、前記下りリンクの１つのキャリア要素に対応する上りリンクの１つのキャリア要素内でバンドリングして前記基地局装置へ送信することを特徴としている。
【０１４４】
また、基地局装置と移動局装置から構成される移動通信システムであって、前記基地局装置は、下りリンクの１つもしくは複数のキャリア要素内に配置された複数の物理下りリンク制御チャネルを使用して前記キャリア要素もしくは前記キャリア要素とは異なるキャリア要素に配置される複数の物理下りリンク共用チャネルを割り当て、前記割り当てた複数の物理下りリンク共用チャネルを使用して複数の下りリンクトランスポートブロックを同一サブフレームで前記移動局装置へ送信し、前記移動局装置は、前記複数の物理下りリンク制御チャネルおよび／または前記複数の下りリンクトランスポートブロックに対するＨＡＲＱにおける制御信号を、前記複数の物理下りリンク制御チャネルが配置された下りリンクのキャリア要素毎にバンドリングして前記基地局装置へ送信することを特徴としている。
【０１４５】
また、基地局装置と移動局装置から構成される移動通信システムであって、前記基地局装置は、複数の物理下りリンク制御チャネルを使用して複数の物理下りリンク共用チャネルを割り当て、前記割り当てた複数の物理下りリンク共用チャネルを使用して複数の下りリンクトランスポートブロックを同一サブフレームで前記移動局装置へ送信し、前記移動局装置は、前記複数の物理下りリンク制御チャネルの中で最後に検出した物理下りリンク制御チャネルに対応した物理上りリンク制御チャネルを使用して、前記複数の物理下りリンク制御チャネルおよび／または前記複数の下りリンクトランスポートブロックに対するＨＡＲＱにおける制御信号をバンドリングして前記基地局装置へ送信することを特徴としている。
【０１４６】
また、基地局装置と移動局装置から構成される移動通信システムであって、前記基地局装置は、複数の物理下りリンク制御チャネルを使用して複数の物理下りリンク共用チャネルを割り当て、前記割り当てた複数の物理下りリンク共用チャネルを使用して複数の下りリンクトランスポートブロックを同一サブフレームで前記移動局装置へ送信し、前記移動局装置は、前記複数の物理下りリンク制御チャネルの中の特定の制御チャネル要素に対応した物理上りリンク制御チャネルを使用して、前記複数の物理下りリンク制御チャネルおよび／または前記複数の下りリンクトランスポートブロックに対するＨＡＲＱにおける制御信号をバンドリングして前記基地局装置へ送信することを特徴としている。
【０１４７】
また、基地局装置と移動局装置から構成される移動通信システムであって、前記基地局装置は、複数の物理下りリンク制御チャネルを使用して複数の物理下りリンク共用チャネルを割り当て、前記割り当てた複数の物理下りリンク共用チャネルを使用して複数の下りリンクトランスポートブロックを同一サブフレームで前記移動局装置へ送信し、前記移動局装置は、前記複数の物理下りリンク制御チャネルおよび／または前記複数の下りリンクトランスポートブロックに対するＨＡＲＱにおける制御信号をバンドリングして、インデックスが最も大きい物理上りリンク制御チャネルを使用して、前記基地局装置へ送信することを特徴としている。
【０１４８】
また、基地局装置と移動局装置から構成される移動通信システムであって、前記基地局装置は、下りリンクの１つのキャリア要素内に配置された複数の物理下りリンク制御チャネルを使用して前記キャリア要素もしくは前記キャリア要素とは異なるキャリア要素に配置される複数の物理下りリンク共用チャネルを割り当て、前記割り当てた複数の物理下りリンク共用チャネルを使用して複数の下りリンクトランスポートブロックを同一サブフレームで前記移動局装置へ送信し、前記移動局装置は、前記複数の物理下りリンク制御チャネルおよび／または前記複数の下りリンクトランスポートブロックに対するＨＡＲＱにおける制御信号を、前記下りリンクの１つのキャリア要素に対応する上りリンクの１つのキャリア要素内で多重して前記基地局装置へ送信することを特徴としている。
【０１４９】
また、基地局装置と移動局装置から構成される移動通信システムであって、前記基地局装置は、下りリンクの１つもしくは複数のキャリア要素内に配置された複数の物理下りリンク制御チャネルを使用して前記キャリア要素もしくは前記キャリア要素とは異なるキャリア要素に配置される複数の物理下りリンク共用チャネルを割り当て、前記割り当てた複数の物理下りリンク共用チャネルを使用して複数の下りリンクトランスポートブロックを同一サブフレームで前記移動局装置へ送信し、前記移動局装置は、前記複数の物理下りリンク制御チャネルおよび／または前記複数の下りリンクトランスポートブロックに対するＨＡＲＱにおける制御信号を、前記複数の物理下りリンク制御チャネルが配置された下りリンクのキャリア要素毎に多重して前記基地局装置へ送信することを特徴としている。
【０１５０】
また、前記ＨＡＲＱにおける制御信号は、前記複数の物理下りリンク制御チャネルおよび／または前記複数の下りリンクトランスポートブロックに対するＡＣＫ（肯定応答）／ＮＡＣＫ（否定応答）および／またはＤＴＸ（Discontinuous Transmission）を示す信号であることを特徴としている。
【０１５１】
また、基地局装置と移動局装置から構成される移動通信システムにおける基地局装置であって、下りリンクの１つのキャリア要素内に配置された複数の物理下りリンク制御チャネルを使用して前記キャリア要素もしくは前記キャリア要素とは異なるキャリア要素に配置される複数の物理下りリンク共用チャネルを割り当てる手段と、前記割り当てた複数の物理下りリンク共用チャネルを使用して複数の下りリンクトランスポートブロックを同一サブフレームで前記移動局装置へ送信する手段と、前記下りリンクの１つのキャリア要素に対応する上りリンクの１つのキャリア要素内でバンドリングされた前記複数の物理下りリンク制御チャネルおよび／または前記複数の下りリンクトランスポートブロックに対するＨＡＲＱにおける制御信号を前記移動局装置から受信する手段と、を備えることを特徴としている。
【０１５２】
また、基地局装置と移動局装置から構成される移動通信システムにおける基地局装置であって、下りリンクの１つもしくは複数のキャリア要素内に配置された複数の物理下りリンク制御チャネルを使用して前記キャリア要素もしくは前記キャリア要素とは異なるキャリア要素に配置される複数の物理下りリンク共用チャネルを割り当てる手段と、前記割り当てた複数の物理下りリンク共用チャネルを使用して複数の下りリンクトランスポートブロックを同一サブフレームで前記移動局装置へ送信する手段と、前記複数の物理下りリンク制御チャネルが配置された下りリンクのキャリア要素毎にバンドリングされた前記複数の物理下りリンク制御チャネルおよび／または前記複数の下りリンクトランスポートブロックに対するＨＡＲＱにおける制御信号を前記移動局装置から受信する手段と、を備えることを特徴としている。
【０１５３】
また、基地局装置と移動局装置から構成される移動通信システムにおける基地局装置であって、複数の物理下りリンク制御チャネルを使用して複数の物理下りリンク共用チャネルを割り当てる手段と、前記割り当てた複数の物理下りリンク共用チャネルを使用して複数の下りリンクトランスポートブロックを同一サブフレームで前記移動局装置へ送信する手段と、前記複数の物理下りリンク制御チャネルの中で、前記移動局装置が最後に検出した物理下りリンク制御チャネルに対応した物理上りリンク制御チャネルを使用して、前記移動局装置によってバンドリングされた前記複数の物理下りリンク制御チャネルおよび／または前記複数の下りリンクトランスポートブロックに対するＨＡＲＱにおける制御信号を前記移動局装置から受信する手段と、を備えることを特徴としている。
【０１５４】
また、基地局装置と移動局装置から構成される移動通信システムにおける基地局装置であって、複数の物理下りリンク制御チャネルを使用して複数の物理下りリンク共用チャネルを割り当てる手段と、前記割り当てた複数の物理下りリンク共用チャネルを使用して複数の下りリンクトランスポートブロックを同一サブフレームで前記移動局装置へ送信する手段と、前記複数の物理下りリンク制御チャネルの中の特定の制御チャネル要素に対応した物理上りリンク制御チャネルを使用して、移動局装置によってバンドリングされた前記複数の物理下りリンク制御チャネルおよび／または前記複数の下りリンクトランスポートブロックに対するＨＡＲＱにおける制御信号を前記移動局装置から受信する手段と、を備えることを特徴としている。
【０１５５】
また、基地局装置と移動局装置から構成される移動通信システムにおける基地局装置であって、複数の物理下りリンク制御チャネルを使用して複数の物理下りリンク共用チャネルを割り当てる手段と、前記割り当てた複数の物理下りリンク共用チャネルを使用して複数の下りリンクトランスポートブロックを同一サブフレームで前記移動局装置へ送信する手段と、前記移動局装置によってバンドリングされた前記複数の物理下りリンク制御チャネルおよび／または前記複数の下りリンクトランスポートブロックに対するＨＡＲＱにおける制御信号を、インデックスが最も大きい物理上りリンク制御チャネルを使用して、前記移動局装置から受信する手段と、を備えることを特徴としている。
【０１５６】
また、基地局装置と移動局装置から構成される移動通信システムにおける基地局装置であって、下りリンクの１つのキャリア要素内に配置された複数の物理下りリンク制御チャネルを使用して前記キャリア要素もしくは前記キャリア要素とは異なるキャリア要素に配置される複数の物理下りリンク共用チャネルを割り当てる手段と、前記割り当てた複数の物理下りリンク共用チャネルを使用して複数の下りリンクトランスポートブロックを同一サブフレームで前記移動局装置へ送信する手段と、前記下りリンクの１つのキャリア要素に対応する上りリンクの１つのキャリア要素内で多重された前記複数の物理下りリンク制御チャネルおよび／または前記複数の下りリンクトランスポートブロックに対するＨＡＲＱにおける制御信号を前記移動局装置から受信する手段と、を備えることを特徴としている。
【０１５７】
また、基地局装置と移動局装置から構成される移動通信システムにおける基地局装置であって、下りリンクの１つもしくは複数のキャリア要素内に配置された複数の物理下りリンク制御チャネルを使用して前記キャリア要素もしくは前記キャリア要素とは異なるキャリア要素に配置される複数の物理下りリンク共用チャネルを割り当てる手段と、前記割り当てた複数の物理下りリンク共用チャネルを使用して複数の下りリンクトランスポートブロックを同一サブフレームで前記移動局装置へ送信する手段と、前記複数の物理下りリンク制御チャネルが配置された下りリンクのキャリア要素毎に多重された前記複数の物理下りリンク制御チャネルおよび／または前記複数の下りリンクトランスポートブロックに対するＨＡＲＱにおける制御信号を前記移動局装置から受信する手段と、を備えることを特徴としている。
【０１５８】
また、前記ＨＡＲＱにおける制御信号は、前記複数の物理下りリンク制御チャネルおよび／または前記複数の下りリンクトランスポートブロックに対するＡＣＫ／ＮＡＣＫおよび／またはＤＴＸを示す信号であることを特徴としている。
【０１５９】
また、基地局装置と移動局装置から構成される移動通信システムにおける移動局装置であって、前記基地局装置が、下りリンクの１つのキャリア要素内に配置された複数の物理下りリンク制御チャネルを使用して前記キャリア要素もしくは前記キャリア要素とは異なるキャリア要素に配置される複数の物理下りリンク共用チャネルを割り当て、前記割り当てた複数の物理下りリンク共用チャネルを使用して送信される複数の下りリンクトランスポートブロックを同一サブフレームで前記基地局装置から受信する手段と、前記複数の物理下りリンク制御チャネルおよび／または前記複数の下りリンクトランスポートブロックに対するＨＡＲＱにおける制御信号を、前記下りリンクの１つのキャリア要素に対応する上りリンクの１つのキャリア要素内でバンドリングして前記基地局装置へ送信する手段と、を備えることを特徴としている。
【０１６０】
また、基地局装置と移動局装置から構成される移動通信システムにおける移動局装置であって、前記基地局装置が、下りリンクの１つもしくは複数のキャリア要素内に配置された複数の物理下りリンク制御チャネルを使用して前記キャリア要素もしくは前記キャリア要素とは異なるキャリア要素に配置される複数の物理下りリンク共用チャネルを割り当て、前記割り当てた複数の物理下りリンク共用チャネルを使用して送信される複数の下りリンクトランスポートブロックを同一サブフレームで前記基地局装置から受信する手段と、前記複数の物理下りリンク制御チャネルおよび／または前記複数の下りリンクトランスポートブロックに対するＨＡＲＱにおける制御信号を、前記複数の物理下りリンク制御チャネルが配置された下りリンクのキャリア要素毎にバンドリングして前記基地局装置へ送信する手段と、を備えることを特徴としている。
【０１６１】
また、基地局装置と移動局装置から構成される移動通信システムにおける移動局装置であって、前記基地局装置が、複数の物理下りリンク制御チャネルを使用して割り当てた、複数の物理下りリンク共用チャネルを使用して送信される複数の下りリンクトランスポートブロックを同一サブフレームで前記基地局装置から受信する手段と、前記複数の物理下りリンク制御チャネルの中で最後に検出した物理下りリンク制御チャネルに対応した物理上りリンク制御チャネルを使用して、前記複数の物理下りリンク制御チャネルおよび／または前記複数の下りリンクトランスポートブロックに対するＨＡＲＱにおける制御信号をバンドリングして前記基地局装置へ送信する手段と、を備えることを特徴としている。 
【０１６２】
また、基地局装置と移動局装置から構成される移動通信システムにおける移動局装置であって、前記基地局装置が、複数の物理下りリンク制御チャネルを使用して割り当てた、複数の物理下りリンク共用チャネルを使用して複数の下りリンクトランスポートブロックを同一サブフレームで前記基地局装置から受信する手段と、前記複数の物理下りリンク制御チャネルの中の特定の制御チャネル要素に対応した物理上りリンク制御チャネルを使用して、前記複数の物理下りリンク制御チャネルおよび／または前記複数の下りリンクトランスポートブロックに対するＨＡＲＱにおける制御信号をバンドリングして前記基地局装置へ送信する手段と、を備えることを特徴としている。
【０１６３】
また、基地局装置と移動局装置から構成される移動通信システムにおける移動局装置であって、前記基地局装置が、複数の物理下りリンク制御チャネルを使用して割り当てた、複数の物理下りリンク共用チャネルを使用して複数の下りリンクトランスポートブロックを同一サブフレームで前記基地局装置から受信する手段と、前記複数の物理下りリンク制御チャネルおよび／または前記複数の下りリンクトランスポートブロックに対するＨＡＲＱにおける制御信号をバンドリングして、インデックスが最も大きい物理上りリンク制御チャネルを使用して前記基地局装置へ送信する手段と、を備えることを特徴としている。
【０１６４】
また、基地局装置と移動局装置から構成される移動通信システムにおける移動局装置であって、前記基地局装置が、下りリンクの１つのキャリア要素内に配置された複数の物理下りリンク制御チャネルを使用して前記キャリア要素もしくは前記キャリア要素とは異なるキャリア要素に配置される複数の物理下りリンク共用チャネルを割り当て、前記割り当てた複数の物理下りリンク共用チャネルを使用して送信される複数の下りリンクトランスポートブロックを同一サブフレームで前記基地局装置から受信する手段と、前記複数の物理下りリンク制御チャネルおよび／または前記複数の下りリンクトランスポートブロックに対するＨＡＲＱにおける制御信号を、前記下りリンクの１つのキャリア要素に対応する上りリンクの１つのキャリア要素内で多重して前記基地局装置へ送信する手段と、を備えることを特徴としている。
【０１６５】
また、基地局装置と移動局装置から構成される移動通信システムであって、前記基地局装置が、下りリンクの１つもしくは複数のキャリア要素内に配置された複数の物理下りリンク制御チャネルを使用して前記キャリア要素もしくは前記キャリア要素とは異なるキャリア要素に配置される複数の物理下りリンク共用チャネルを割り当て、前記割り当てた複数の物理下りリンク共用チャネルを使用して送信される複数の下りリンクトランスポートブロックを同一サブフレームで前記基地局装置から受信する手段と、前記複数の物理下りリンク制御チャネルおよび／または前記複数の下りリンクトランスポートブロックに対するＨＡＲＱにおける制御信号を、前記複数の物理下りリンク制御チャネルが配置された下りリンクのキャリア要素毎に多重して前記基地局装置へ送信する手段と、を備えることを特徴としている。
【０１６６】
また、前記ＨＡＲＱにおける制御信号は、前記複数の物理下りリンク制御チャネルおよび／または前記複数の下りリンクトランスポートブロックに対するＡＣＫ／ＮＡＣＫおよびまたは／ＤＴＸを示す信号であることを特徴としている。
【符号の説明】
【０１６７】
１００…基地局装置、１０１…データ制御部、１０２…送信データ変調部、１０３…無線部、１０４…スケジューリング部、１０５…チャネル推定部、１０６…受信データ復調部、１０７…データ抽出部、１０８…上位層、１０９…アンテナ、１１０…無線リソース制御部、２００…移動局装置、２０１…データ制御部、２０２…送信データ変調部、２０３…無線部、２０４…スケジューリング部、２０５…チャネル推定部、２０６…受信データ復調部、２０７…データ抽出部、２０８…上位層、２０９…アンテナ、２１０…無線リソース制御部。
【図１】
2010137469.tif 000003
【図２】
2010137469.tif 000004
【図３】
2010137469.tif 000005
【図４】
2010137469.tif 000006
【図５】
2010137469.tif 000007
【図６】
2010137469.tif 000008
【図７】
2010137469.tif 000009
【図８】
2010137469.tif 000010
【図９】
2010137469.tif 000011
【図１０】
2010137469.tif 000012
【図１１】
2010137469.tif 000013
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
複数のコンポーネントキャリアを使用して基地局装置と移動局装置が通信する移動通信システムであって、
前記基地局装置は、
ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記移動局装置へ送信し、
前記移動局装置は、
前記第１の物理下りリンク制御チャネルおよび前記第２の物理下りリンク制御チャネルを、前記ある特定の下りリンクコンポーネントキャリアにおいて、あるサブフレームで前記基地局装置から受信した場合には、
前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記基地局装置へ送信し、
前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置される
ことを特徴とする移動通信システム。
【請求項２】
前記第１の物理下りリンク制御チャネルの前記リソースには、前記第１の物理下りリンク制御チャネルを構成する制御チャネル要素が含まれる
ことを特徴とする請求項１に記載の移動通信システム。
【請求項３】
前記第２の物理下りリンク制御チャネルの前記リソースには、前記第２の物理下りリンク制御チャネルを構成する制御チャネル要素が含まれる
ことを特徴とする請求項１または請求項２に記載の移動通信システム。
【請求項４】
前記ある特定の下りリンクコンポーネントキャリアは、前記基地局装置によって前記移動局装置へ指示される
ことを特徴とする請求項１から請求項３のいずれかに記載の移動通信システム。
【請求項５】
前記ある特定の下りリンクコンポーネントキャリアと前記上りリンクコンポーネントキャリアの対応は、セル固有に、前記基地局装置によって前記移動局装置へ設定される
ことを特徴とする請求項１から請求項４のいずれかに記載の移動通信システム。
【請求項６】
前記ある特定の下りリンクコンポーネントキャリアと前記上りリンクコンポーネントキャリアの対応は、移動局装置固有に、前記基地局装置によって前記移動局装置へ設定される
ことを特徴とする請求項１から請求項４のいずれかに記載の移動通信システム。
【請求項７】
前記ＨＡＲＱにおける制御情報には、前記ある特定の下りリンクコンポーネントキャリアおよび前記ある特定の下りリンクコンポーネントキャリアとは異なる下りリンクコンポーネントキャリアで送信される下りリンクトランスポートブロックに対するＡＣＫ／ＮＡＣＫを示す情報が含まれる
ことを特徴とする請求項１から請求項６のいずれかに記載の移動通信システム。
【請求項８】
複数のコンポーネントキャリアを使用して移動局装置と通信する基地局装置であって、
ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記移動局装置へ送信する手段と、
前記第１の物理下りリンク制御チャネルおよび前記第２の物理下りリンク制御チャネルを、前記ある特定の下りリンクコンポーネントキャリアにおいて、あるサブフレームで前記移動局装置が受信した場合には、
前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記移動局装置から受信する手段と、を備え、
前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置される
ことを特徴とする基地局装置。
【請求項９】
前記第１の物理下りリンク制御チャネルの前記リソースには、前記第１の物理下りリンク制御チャネルを構成する制御チャネル要素が含まれる
ことを特徴とする請求項８に記載の基地局装置。
【請求項１０】
前記第２の物理下りリンク制御チャネルの前記リソースには、前記第２の物理下りリンク制御チャネルを構成する制御チャネル要素が含まれる
ことを特徴とする請求項８または請求項９に記載の基地局装置。
【請求項１１】
前記ＨＡＲＱにおける制御情報には、前記ある特定の下りリンクコンポーネントキャリアおよび前記ある特定の下りリンクコンポーネントキャリアとは異なる下りリンクコンポーネントキャリアで送信される下りリンクトランスポートブロックに対するＡＣＫ／ＮＡＣＫを示す情報が含まれる
ことを特徴とする請求項８から請求項１０のいずれかに記載の基地局装置。
【請求項１２】
複数のコンポーネントキャリアを使用して基地局装置と通信する移動局装置であって、
ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記基地局装置から受信した場合には、
前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記基地局装置へ送信する手段を、備え、
前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置される
ことを特徴とする移動局装置。
【請求項１３】
前記第１の物理下りリンク制御チャネルの前記リソースには、前記第１の物理下りリンク制御チャネルを構成する制御チャネル要素が含まれる
ことを特徴とする請求項１２に記載の移動局装置。
【請求項１４】
前記第２の物理下りリンク制御チャネルの前記リソースには、前記第２の物理下りリンク制御チャネルを構成する制御チャネル要素が含まれる
ことを特徴とする請求項１２または請求項１３に記載の移動局装置。
【請求項１５】
前記ＨＡＲＱにおける制御情報には、前記ある特定の下りリンクコンポーネントキャリアおよび前記ある特定の下りリンクコンポーネントキャリアとは異なる下りリンクコンポーネントキャリアで送信される下りリンクトランスポートブロックに対するＡＣＫ／ＮＡＣＫを示す情報が含まれる
ことを特徴とする請求項１２から請求項１４のいずれかに記載の移動局装置。
【請求項１６】
複数のコンポーネントキャリアを使用して移動局装置と通信する基地局装置の通信方法であって、
ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記移動局装置へ送信し、
前記第１の物理下りリンク制御チャネルおよび前記第２の物理下りリンク制御チャネルを、前記ある特定の下りリンクコンポーネントキャリアにおいて、あるサブフレームで前記移動局装置が受信した場合には、
前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記移動局装置から受信し、
前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置される
ことを特徴とする通信方法。
【請求項１７】
前記第１の物理下りリンク制御チャネルの前記リソースには、前記第１の物理下りリンク制御チャネルを構成する制御チャネル要素が含まれる
ことを特徴とする請求項１６に記載の通信方法。
【請求項１８】
前記第２の物理下りリンク制御チャネルの前記リソースには、前記第２の物理下りリンク制御チャネルを構成する制御チャネル要素が含まれる
ことを特徴とする請求項１６または請求項１７に記載の通信方法。
【請求項１９】
前記ＨＡＲＱにおける制御情報には、前記ある特定の下りリンクコンポーネントキャリアおよび前記ある特定の下りリンクコンポーネントキャリアとは異なる下りリンクコンポーネントキャリアで送信される下りリンクトランスポートブロックに対するＡＣＫ／ＮＡＣＫを示す情報が含まれる
ことを特徴とする請求項１６から請求項１８のいずれかに記載の通信方法。
【請求項２０】
複数のコンポーネントキャリアを使用して基地局装置と通信する移動局装置の通信方法であって、
ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記基地局装置から受信した場合には、
前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記基地局装置へ送信し、
前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置される
ことを特徴とする通信方法。
【請求項２１】
前記第１の物理下りリンク制御チャネルの前記リソースには、前記第１の物理下りリンク制御チャネルを構成する制御チャネル要素が含まれる
ことを特徴とする請求項２０に記載の通信方法。
【請求項２２】
前記第２の物理下りリンク制御チャネルの前記リソースには、前記第２の物理下りリンク制御チャネルを構成する制御チャネル要素が含まれる
ことを特徴とする請求項２０または請求項２１に記載の通信方法。
【請求項２３】
前記ＨＡＲＱにおける制御情報には、前記ある特定の下りリンクコンポーネントキャリアおよび前記ある特定の下りリンクコンポーネントキャリアとは異なる下りリンクコンポーネントキャリアで送信される下りリンクトランスポートブロックに対するＡＣＫ／ＮＡＣＫを示す情報が含まれる
ことを特徴とする請求項２０から請求項２２のいずれかに記載の通信方法。
【手続補正２】
【補正対象書類名】明細書
【補正対象項目名】０００６
【補正方法】変更
【補正の内容】
【０００６】
へ送信した際に、移動局装置が、複数のＰＤＣＣＨおよび／または複数の下りリンクトランスポートブロックに対するＨＡＲＱにおける制御信号を、どのように基地局装置へ送信するかが明確にされていなかった。
［００１３］
基地局装置と移動局装置が、ＨＡＲＱにおける制御信号を送受信する際には、移動局装置がＨＡＲＱにおける制御信号を配置するためのリソースを、基地局装置によって効率的に割り当てなければならない。例えば、ＨＡＲＱにおける制御信号を送信する移動局装置に対して、基地局装置が、ＨＡＲＱにおける制御信号を配置するためのリソースを全て明示的に指定していては、指定のために使用される無線リソースに無駄が生じてしまう。移動局装置がＨＡＲＱにおける制御信号を配置するためのリソースを、基地局装置によって効率的に指定する方法が求められる。
［００１４］
このように、従来の技術では、基地局装置が、複数のＰＤＣＣＨを使用して複数のＰＤＳＣＨを割り当て、割り当てた複数のＰＤＳＣＨを使用して複数の下りリンクトランスポートブロックを同一サブフレームで移動局装置へ送信した際に、基地局装置によるＨＡＲＱにおける制御信号を配置するためのリソースの指定方法が非効率であるという問題があった。
［００１５］
本発明は、このような事情に鑑みてなされたものであり、基地局装置によるＨＡＲＱにおける制御信号を配置するためのリソースの指定方法を考慮した移動通信システムおよび移動通信方法を提供することを目的とする。
課題を解決するための手段
［００１６］
上記目的を達成するために、本発明は、以下のような手段を講じた。すなわち、本発明の移動通信システムは、複数のコンポーネントキャリアを使用して基地局装置と移動局装置が通信する移動通信システムであって、前記基地局装置は、ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリ
【手続補正３】
【補正対象書類名】明細書
【補正対象項目名】０００７
【補正方法】変更
【補正の内容】
【０００７】
ンクコンポーネントキャリアにおいて、あるサブフレームで前記移動局装置へ送信し、前記移動局装置は、前記第１の物理下りリンク制御チャネルおよび前記第２の物理下りリンク制御チャネルを、前記ある特定の下りリンクコンポーネントキャリアにおいて、あるサブフレームで前記基地局装置から受信した場合には、前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記基地局装置へ送信し、前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置されることを特徴としている。
［００１７］
また、前記第１の物理下りリンク制御チャネルの前記リソースには、前記第１の物理下りリンク制御チャネルを構成する制御チャネル要素が含まれ、さらに、前記第２の物理下りリンク制御チャネルの前記リソースには、前記第２の物理下りリンク制御チャネルを構成する制御チャネル要素が含まれることを特徴としている。
［００１８］
また、前記ある特定の下りリンクコンポーネントキャリアは、前記基地局装置によって前記移動局装置へ指示されることを特徴としている。
【手続補正４】
【補正対象書類名】明細書
【補正対象項目名】０００８
【補正方法】変更
【補正の内容】
【０００８】
［００１９］
また、前記ある特定の下りリンクコンポーネントキャリアと前記上りリンクコンポーネントキャリアの対応は、セル固有に、前記基地局装置によって前記移動局装置へ設定されることを特徴としている。
［００２０］
また、前記ある特定の下りリンクコンポーネントキャリアと前記上りリンクコンポーネントキャリアの対応は、移動局装置固有に、前記基地局装置によって前記移動局装置へ設定されることを特徴としている。
［００２１］
また、前記ＨＡＲＱにおける制御情報には、前記ある特定の下りリンクコンポーネントキャリアおよび前記ある特定の下りリンクコンポーネントキャリアとは異なる下りリンクコンポーネントキャリアで送信される下りリンクトランスポートブロックに対するＡＣＫ／ＮＡＣＫを示す情報が含まれることを特徴としている。
［００２２］
また、複数のコンポーネントキャリアを使用して移動局装置と通信する基地局装置であって、ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記移動局装置へ送信する手段と、前記第１の物理下りリンク制御チャネルおよび前記第２の物理下りリンク制御チャネルを、前記ある特定の下りリンクコンポーネントキャリアにおいて、あるサブフレームで前記移動局装置が受信した場合には、前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記移動局装置から受信する手段と、を備え、前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置されることを特徴としている。
［００２３］
また、複数のコンポーネントキャリアを使用して基地局装置と通信する移動局装置であって、ある特定
の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記基地局装置から受信した場合には、前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記基地局装置へ送信する手段を、備え、前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置されることを特徴としている。
［００２４］
また、複数のコンポーネントキャリアを使用して移動局装置と通信する基地局装置の通信方法であって、ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記移動局装置へ送信し、前記第１の物理下りリンク制御チャネルおよび前記第２の物理下りリンク制御チャネルを、前記ある特定の下りリンクコンポーネントキャリアにおいて、あるサブフレームで前記移動局装置が受信した場合には、前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記移動局装置から受信し、前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置されることを特徴としている。
【手続補正５】
【補正対象書類名】明細書
【補正対象項目名】０００９
【補正方法】変更
【補正の内容】
【０００９】
［００２５］
また、複数のコンポーネントキャリアを使用して基地局装置と通信する移動局装置の通信方法であって、ある特定の下りリンクコンポーネントキャリアにおける物理下りリンク共用チャネルの送信を指示する第１の物理下りリンク制御チャネル、および、前記ある特定の下りリンクコンポーネントキャリアとは異なる下りリンクコンポーネントキャリアにおける物理下りリンク共用チャネルの送信を指示する第２の物理下りリンク制御チャネルを、前記ある特定の下りリンクコンポーネントキャリアにおいて、あるサブフレームで前記基地局装置から受信した場合には、前記第１の物理下りリンク制御チャネルのリソースに対応付けられた第１の物理上りリンク制御チャネルリソースまたは前記第２の物理下りリンク制御チャネルのリソースに対応付けられた第２の物理上りリンク制御チャネルリソースのいずれか１つを使用して、ＨＡＲＱにおける制御情報を前記基地局装置へ送信し、前記第１の物理上りリンク制御チャネルリソースおよび前記第２の物理上りリンク制御チャネルリソースは、前記ある特定の下りリンクコンポーネントキャリアに対応する１つの上りリンクコンポーネントキャリアに配置されることを特徴としている。
［００２６］
［００２７］
【手続補正６】
【補正対象書類名】明細書
【補正対象項目名】００１０
【補正方法】変更
【補正の内容】
【００１０】
［００２８］
［００２９］
【手続補正７】
【補正対象書類名】明細書
【補正対象項目名】００１１
【補正方法】変更
【補正の内容】
【００１１】
［００３０］
［００３１］
［００３２］
［００３３］
［００３４］
【手続補正８】
【補正対象書類名】明細書
【補正対象項目名】００１２
【補正方法】変更
【補正の内容】
【００１２】
［００３５］
［００３６］
［００３７］
【手続補正９】
【補正対象書類名】明細書
【補正対象項目名】００１３
【補正方法】変更
【補正の内容】
【００１３】
［００３８］
［００３９］
［００４０］
【手続補正１０】
【補正対象書類名】明細書
【補正対象項目名】００１４
【補正方法】変更
【補正の内容】
【００１４】
［００４１］
［００４２］
［００４３］
［００４４］
発明の効果
［００４５］
本発明によれば、連続／不連続な複数の周波数帯域（キャリア要素）から構成される広帯域な周波数帯域を使用して通信を行う基地局装置と移動局装置が、ＨＡＲＱにおける制御信号を効率的に送受信することが可能となる。
図面の簡単な説明
［００４６］
［図１］物理チャネルの構成を概念的に示す図である。
【国際調査報告】
2010137469.tif 000014
2010137469.tif 000015
2010137469.tif 000016
2010137469.tif 000017